(57)【特許請求の範囲】
【請求項１】
中央制御装置に対して他の端末電子機器と共にデイジーチェーン接続され前記中央制御装置からの情報を処理する端末電子機器であって、
前記他の端末電子機器に対して自機を識別する識別子を記憶する識別子記憶部と、
デイジーチェーン接続の上流側との通信を行なう第１通信部と、
デイジーチェーン接続の下流側との通信を行なう第２通信部と、
前記第１通信部で受信した情報が自機に対する情報であるか否かを前記識別子に基づいて判断する判断部と、
前記第１通信部で受信した情報が自機に対する情報で無いと前記判断部で判断したときは前記第１通信部で受信した情報を前記第２通信部から下流側へ透過送信する透過状態に設定する透過状態設定部と、
前記第２通信部で受信した情報が透過状態の解除を指示する透過状態解除指示返信情報であるときは透過状態を解除して非透過状態とし前記透過状態解除指示返信情報を上流側へ返信する透過状態解除部と
を備えることを特徴とする端末電子機器。
【請求項２】
請求項１に記載の端末電子機器であって、
非透過状態の場合に前記第１通信部で受信した情報が透過状態の解除を指示する透過状態解除情報であるときは前記透過状態解除指示返信情報を上流側へ返信する返信情報生成部
を備えることを特徴とする端末電子機器。
【請求項３】
中央制御装置に対して他の端末電子機器と共にデイジーチェーン接続され前記中央制御装置からの情報を処理する端末電子機器であって、
前記他の端末電子機器に対して自機を識別する識別子を記憶する識別子記憶部と、
デイジーチェーン接続の上流側との通信を行なう第１通信部と、
デイジーチェーン接続の下流側との通信を行なう第２通信部と、
前記第１通信部で受信した情報が自機に対する情報であるか否かを前記識別子に基づいて判断する判断部と、
前記第１通信部で受信した情報が自機に対する情報で無いと前記判断部で判断したときは前記第１通信部で受信した情報を前記第２通信部から下流側へ透過送信する透過状態に設定する透過状態設定部と、
透過状態における前記第１通信部での受信が設定された受信回数になったときに透過状態を解除する透過状態解除部と
を備えることを特徴とする端末電子機器。
【請求項４】
中央制御装置に対して他の端末電子機器と共にデイジーチェーン接続され前記中央制御装置からの情報を処理する端末電子機器であって、
前記他の端末電子機器に対して自機を識別する識別子を記憶する識別子記憶部と、
デイジーチェーン接続の上流側との通信を行なう第１通信部と、
デイジーチェーン接続の下流側との通信を行なう第２通信部と、
前記第１通信部で受信した情報が自機に対する情報であるか否かを前記識別子に基づいて判断する判断部と、
前記第１通信部で受信した情報が自機に対する情報で無いと前記判断部で判断したときは前記第１通信部で受信した情報を前記第２通信部から下流側へ透過送信する透過状態に設定する透過状態設定部と、
透過状態において前記第１通信部で受信した情報を前記第２通信部から下流側へ透過送信したときからの計時時間が設定された設定時間になったときに透過状態を解除する透過状態解除部と
を備えることを特徴とする端末電子機器。
【請求項５】
中央制御装置に対して他の端末電子機器と共にデイジーチェーン接続され前記中央制御装置からの情報を処理する端末電子機器の透過状態制御方法であって、
前記他の端末電子機器に対して自機を識別する識別子を記憶する識別子記憶ステップと、
デイジーチェーン接続の上流側との通信を行なう第１通信ステップと、
デイジーチェーン接続の下流側との通信を行なう第２通信ステップと、
前記第１通信ステップで受信した情報が自機に対する情報であるか否かを前記識別子に基づいて判断する判断ステップと、
前記第１通信ステップで受信した情報が自機に対する情報で無いと前記判断ステップで判断したときは前記第１通信ステップで受信した情報を前記第２通信ステップで下流側へ透過送信する透過状態に設定する透過状態設定ステップと、
前記第２通信ステップで受信した情報が透過状態の解除を指示する透過状態解除指示返信情報であるときは透過状態を解除して非透過状態し前記透過状態解除指示返信情報を上流側へ返信する透過状態解除ステップと
を備えることを特徴とする端末電子機器の透過状態制御方法。
【請求項６】
請求項５に記載の端末電子機器の透過状態制御方法であって、
非透過状態の場合に前記第１通信ステップで受信した情報が透過状態の解除を指示する透過状態解除情報であるときは前記透過状態解除指示返信情報を上流側へ返信する返信情報生成ステップ
を備えることを特徴とする端末電子機器の透過状態制御方法。
【請求項７】
中央制御装置に対して他の端末電子機器と共にデイジーチェーン接続され前記中央制御装置からの情報を処理する端末電子機器の透過状態制御方法であって、
前記他の端末電子機器に対して自機を識別する識別子を記憶する識別子記憶ステップと、
デイジーチェーン接続の上流側との通信を行なう第１通信ステップと、
デイジーチェーン接続の下流側との通信を行なう第２通信ステップと、
前記第１通信ステップで受信した情報が自機に対する情報であるか否かを前記識別子に基づいて判断する判断ステップと、
前記第１通信ステップで受信した情報が自機に対する情報で無いと前記判断ステップで判断したときは前記第１通信ステップで受信した情報を前記第２通信ステップで下流側へ透過送信する透過状態に設定する透過状態設定ステップと、
透過状態における前記第１通信ステップでの受信が設定された受信回数になったときに透過状態を解除する透過状態解除ステップと
を備えることを特徴とする端末電子機器の透過状態制御方法。
【請求項８】
中央制御装置に対して他の端末電子機器と共にデイジーチェーン接続され前記中央制御装置からの情報を処理する端末電子機器の透過状態制御方法であって、
前記他の端末電子機器に対して自機を識別する識別子を記憶する識別子記憶ステップと、
デイジーチェーン接続の上流側との通信を行なう第１通信ステップと、
デイジーチェーン接続の下流側との通信を行なう第２通信ステップと、
前記第１通信ステップで受信した情報が自機に対する情報であるか否かを前記識別子に基づいて判断する判断ステップと、
前記第１通信ステップで受信した情報が自機に対する情報で無いと前記判断ステップで判断したときは前記第１通信ステップで受信した情報を前記第２通信ステップで下流側へ透過送信する透過状態に設定する透過状態設定ステップと、
透過状態において前記第１通信ステップで受信した情報を前記第２通信ステップから下流側へ透過送信したときからの計時時間が設定された設定時間になったときに透過状態を解除する透過状態解除ステップと
を備えることを特徴とする端末電子機器の透過状態制御方法。
【請求項９】
情報を送信する中央制御装置と、該中央制御装置に対してデイジーチェーン接続され前記中央制御装置からの情報を受信して情報に応じた処理を実行する複数の端末電子機器とを備える端末制御システムであって、
前記端末電子機器は、請求項１ないし請求項４のいずれか一つに記載の端末電子機器であることを特徴とする端末制御システム。
【発明の詳細な説明】
【技術分野】
【０００１】
本発明は、中央制御装置に対して他の端末電子機器と共にデイジーチェーン接続され中央制御装置からの情報を処理する端末電子機器、この端末電子機器の透過状態制御方法、およびこの端末電子機器と中央制御装置を備える端末制御システムに関する。
【背景技術】
【０００２】
複数の端末電子機器が１台の中央制御装置に対してデイジーチェーン接続され制御される端末制御システムが知られている。例えば１０台ないし数十台以上の規模でデイジーチェーン接続された表示装置などで構成された端末電子機器は、中央制御装置からの情報を逐次処理する構成としてある。
【０００３】
通常は、中央制御装置から全ての端末電子機器に対して同様な情報が送信され、各端末電子機器は送信された情報を同様に逐次処理する。しかし、中央制御装置が特定の端末電子機器のみと通信を実行したい場合が生じる。
【０００４】
この場合には、選択した特定の端末電子機器までの上流側に配置された端末電子機器は、経路中での通信速度を向上させ、端末制御システムとしてのスループットを向上させるために送信された情報に対する処理をしないで、そのまま下流側の選択された特定の端末電子機器に向けて情報を送信する透過状態とされる。
【０００５】
透過状態を設定した場合、透過状態を解除して通常の通信状態へ復帰させる必要が生じる。しかし、透過状態とされた端末電子機器では、受信した情報を透過させて下流側の端末電子機器へ情報が送信されてしまう。つまり、中央制御装置からシリアル送信された情報によって透過状態を解除することはできない。
【０００６】
したがって、シリアル送信以外の手段を適用して透過状態を解除することが提案されている。例えば、リモコン（リモートコントローラ：遠隔制御装置）、あるいは端末電子機器の本体に設けた個別スイッチなどを適用して透過状態を解除することが可能である。
【０００７】
しかし、デイジーチェーン接続を行なう目的は、例えば無人の環境で端末電子機器（例えば表示装置）の制御を行なうことであり、シリアル通信以外の手段を適用することは、デイジーチェーン接続を行なう目的に適合せず、好ましくないという問題がある。
【０００８】
また、中央制御装置から送信する情報に、選択した端末電子機器を特定する情報を埋め込んでおき、経路中の他の端末電子機器でも埋め込まれた情報を参照することによって対象か否かの判断を行なう構成とすることが提案されている。例えば、制御データとして扱うことが可能な特殊なデータを送信する。この場合は、制御データを表すために通常データをエスケープするエスケープ機能が必要となる。しかし、エスケープ機能を実現するために必要なデータ量の増加、必要なデータ監視などによって端末制御システムでのスループットが低下するという問題がある。
【０００９】
また、透過状態を設けず、データをパケットとして構成し、パケットの中に対象となる端末電子機器の識別子（例えばＩＤ番号）を含めて送信し、受信した端末電子機器は、パケット内に含まれる識別子と自機の識別子とを比較し、一致した場合は受信して対応する処理を行ない、異なれば何も処理しない構成とすることが考えられる。しかし、この方法では、全ての通信データに対象とする端末電子機器の識別子を含ませる必要があり、通信データを全て監視する必要があることから、端末制御システムでのスループットが低下するという問題がある。
【００１０】
なお、デイジーチェーン接続された複数の端末電子機器を識別して制御する方法として、例えば、特許文献１ないし特許文献３が知られている。
【特許文献１】特開平９−２４４７７２号公報
【特許文献２】特開２００１−３１０２８１号公報
【特許文献３】特開２００６−２６８２５４号公報
【発明の開示】
【発明が解決しようとする課題】
【００１１】
本発明はこのような状況に鑑みてなされたものであり、中央制御装置に対して他の端末電子機器と共にデイジーチェーン接続され中央制御装置からの情報を処理する端末電子機器であって、上流側から受信した情報が自機に対する情報で無い場合は透過状態に設定する透過状態設定部と、下流側から受信した情報が透過状態の解除を指示する透過状態解除指示返信情報であるときは透過状態を解除する透過状態解除部とを備えることにより、透過状態の設定と解除を容易かつ確実に実行することができ、スループットの低下が無く、高速通信が可能な端末電子機器を提供することを目的とする。
【００１２】
また、本発明は、中央制御装置に対して他の端末電子機器と共にデイジーチェーン接続され中央制御装置からの情報を処理する端末電子機器であって、上流側から受信した情報が自機に対する情報で無い場合は透過状態に設定する透過状態設定部と、第１通信部での受信が設定された受信回数になったときに透過状態を解除する透過状態解除部とを備えることにより、透過状態の設定と解除を容易かつ確実に実行することができ、スループットの低下が無く、高速通信が可能な端末電子機器を提供することを他の目的とする。
【００１３】
また、本発明は、中央制御装置に対して他の端末電子機器と共にデイジーチェーン接続され中央制御装置からの情報を処理する端末電子機器であって、上流側から受信した情報が自機に対する情報で無い場合は透過状態に設定する透過状態設定部と、第１通信部で受信した情報を第２通信部で下流側へ透過送信したときからの計時時間が設定された設定時間になったときに透過状態を解除する透過状態解除部とを備えることにより、透過状態の設定と解除を容易かつ確実に実行することができ、スループットの低下が無く、高速通信が可能な端末電子機器を提供することを他の目的とする。
【００１４】
また、本発明は、中央制御装置に対して他の端末電子機器と共にデイジーチェーン接続され中央制御装置からの情報を処理する端末電子機器の透過状態制御方法であって、上流側から受信した情報が自機に対する情報で無い場合は透過状態に設定する透過状態設定ステップと、下流側から受信した情報が透過状態の解除を指示する透過状態解除指示返信情報であるときは透過状態を解除する透過状態解除ステップとを備えることにより、透過状態の設定と解除を容易かつ確実に実行することができ、スループットの低下が無く、高速通信が可能な端末電子機器の透過状態制御方法を提供することを他の目的とする。
【００１５】
また、本発明は、中央制御装置に対して他の端末電子機器と共にデイジーチェーン接続され中央制御装置からの情報を処理する端末電子機器の透過状態制御方法であって、上流側から受信した情報が自機に対する情報で無い場合は透過状態に設定する透過状態設定ステップと、第１通信部での受信が設定された受信回数になったときに透過状態を解除する透過状態解除ステップとを備えることにより、透過状態の設定と解除を容易かつ確実に実行することができ、スループットの低下が無く、高速通信が可能な端末電子機器の透過状態制御方法を提供することを他の目的とする。
【００１６】
また、本発明は、中央制御装置に対して他の端末電子機器と共にデイジーチェーン接続され中央制御装置からの情報を処理する端末電子機器の透過状態制御方法であって、上流側から受信した情報が自機に対する情報で無い場合は透過状態に設定する透過状態設定ステップと、第１通信部で受信した情報を第２通信部で下流側へ透過送信したときからの計時時間が設定された設定時間になったときに透過状態を解除する透過状態解除部ステップとを備えることにより、透過状態の設定と解除を容易かつ確実に実行することができ、スループットの低下が無く、高速通信が可能な端末電子機器の透過状態制御方法を提供することを他の目的とする。
【００１７】
また、本発明は、情報を送信する中央制御装置と、中央制御装置に対してデイジーチェーン接続され中央制御装置からの情報を受信して情報に応じた処理を実行する複数の端末電子機器とを備える端末制御システムであって、端末電子機器は、本発明に係る端末電子機器とすることにより、端末電子機器の透過状態の設定と解除を容易かつ確実に実行することができ、スループットの低下が無く、高速通信が可能な端末制御システムを提供することを他の目的とする。
【課題を解決するための手段】
【００１８】
本発明に係る端末電子機器は、中央制御装置に対して他の端末電子機器と共にデイジーチェーン接続され前記中央制御装置からの情報を処理する端末電子機器であって、前記他の端末電子機器に対して自機を識別する識別子を記憶する識別子記憶部と、デイジーチェーン接続の上流側との通信を行なう第１通信部と、デイジーチェーン接続の下流側との通信を行なう第２通信部と、前記第１通信部で受信した情報が自機に対する情報であるか否かを前記識別子に基づいて判断する判断部と、前記第１通信部で受信した情報が自機に対する情報で無いと前記判断部で判断したときは前記第１通信部で受信した情報を前記第２通信部から下流側へ透過送信する透過状態に設定する透過状態設定部と、前記第２通信部で受信した情報が透過状態の解除を指示する透過状態解除指示返信情報であるときは透過状態を解除して非透過状態とし前記透過状態解除指示返信情報を上流側へ返信する透過状態解除部とを備えることを特徴とする。
【００１９】
この構成により、自機に関係の無い情報を受信した場合は透過状態を設定して下流側へ透過送信することによって高速通信を実現し、下流側からの透過状態解除指示返信情報に基づいて透過状態を解除して非透過状態とすることから、透過状態の設定と解除を容易かつ確実に実行することができ、スループットの低下が無く、高速通信が可能な端末電子機器とすることができる。
【００２０】
本発明に係る端末電子機器では、非透過状態の場合に前記第１通信部で受信した情報が透過状態の解除を指示する透過状態解除情報であるときは前記透過状態解除指示返信情報を上流側へ返信する返信情報生成部を備えることを特徴とする。
【００２１】
この構成により、非透過状態で受信した透過状態解除情報に基づいて透過状態の解除を指示する透過状態解除指示返信情報を上流側へ返信することから、上流側に配置された端末電子機器の透過状態を容易かつ確実に解除することが可能となる。
【００２２】
本発明に係る端末電子機器は、中央制御装置に対して他の端末電子機器と共にデイジーチェーン接続され前記中央制御装置からの情報を処理する端末電子機器であって、前記他の端末電子機器に対して自機を識別する識別子を記憶する識別子記憶部と、デイジーチェーン接続の上流側との通信を行なう第１通信部と、デイジーチェーン接続の下流側との通信を行なう第２通信部と、前記第１通信部で受信した情報が自機に対する情報であるか否かを前記識別子に基づいて判断する判断部と、前記第１通信部で受信した情報が自機に対する情報で無いと前記判断部で判断したときは前記第１通信部で受信した情報を前記第２通信部から下流側へ透過送信する透過状態に設定する透過状態設定部と、透過状態における前記第１通信部での受信が設定された受信回数になったときに透過状態を解除する透過状態解除部とを備えることを特徴とする。
【００２３】
この構成により、自機に関係の無い情報を受信した場合は下流側への透過送信を行なう透過状態を設定することによって高速通信を実現し、設定された受信回数に対応する受信をした場合に透過状態を解除することから、透過状態の設定と解除を容易かつ確実に実行することができ、スループットの低下が無く、高速通信が可能な端末電子機器とすることができる。
【００２４】
本発明に係る端末電子機器は、中央制御装置に対して他の端末電子機器と共にデイジーチェーン接続され前記中央制御装置からの情報を処理する端末電子機器であって、前記他の端末電子機器に対して自機を識別する識別子を記憶する識別子記憶部と、デイジーチェーン接続の上流側との通信を行なう第１通信部と、デイジーチェーン接続の下流側との通信を行なう第２通信部と、前記第１通信部で受信した情報が自機に対する情報であるか否かを前記識別子に基づいて判断する判断部と、前記第１通信部で受信した情報が自機に対する情報で無いと前記判断部で判断したときは前記第１通信部で受信した情報を前記第２通信部から下流側へ透過送信する透過状態に設定する透過状態設定部と、透過状態において前記第１通信部で受信した情報を前記第２通信部から下流側へ透過送信したときからの計時時間が設定された設定時間になったときに透過状態を解除する透過状態解除部とを備えることを特徴とする。
【００２５】
この構成により、自機に関係の無い情報を受信した場合は下流側への透過送信を行なう透過状態を設定することによって高速通信を実現し、設定された設定時間を経過した場合に透過状態を解除することから、透過状態の設定と解除を容易かつ確実に実行することができ、スループットの低下が無く、高速通信が可能な端末電子機器とすることができる。
【００２６】
本発明に係る端末電子機器の透過状態制御方法は、中央制御装置に対して他の端末電子機器と共にデイジーチェーン接続され前記中央制御装置からの情報を処理する端末電子機器の透過状態制御方法であって、前記他の端末電子機器に対して自機を識別する識別子を記憶する識別子記憶ステップと、デイジーチェーン接続の上流側との通信を行なう第１通信ステップと、デイジーチェーン接続の下流側との通信を行なう第２通信ステップと、前記第１通信ステップで受信した情報が自機に対する情報であるか否かを前記識別子に基づいて判断する判断ステップと、前記第１通信ステップで受信した情報が自機に対する情報で無いと前記判断ステップで判断したときは前記第１通信ステップで受信した情報を前記第２通信ステップで下流側へ透過送信する透過状態に設定する透過状態設定ステップと、前記第２通信ステップで受信した情報が透過状態の解除を指示する透過状態解除指示返信情報であるときは透過状態を解除して非透過状態し前記透過状態解除指示返信情報を上流側へ返信する透過状態解除ステップとを備えることを特徴とする。
【００２７】
この構成により、自機に関係の無い情報を受信した場合は透過状態を設定して下流側へ透過送信することによって高速通信を実現し、下流側からの透過状態解除指示返信情報に基づいて透過状態を解除して非透過状態とすることから、透過状態の設定と解除を容易かつ確実に実行することができ、スループットの低下が無く、高速通信が可能な端末電子機器の透過状態制御方法とすることができる。
【００２８】
本発明に係る端末電子機器の透過状態制御方法では、非透過状態の場合に前記第１通信ステップで受信した情報が透過状態の解除を指示する透過状態解除情報であるときは前記透過状態解除指示返信情報を上流側へ返信する返信情報生成ステップを備えることを特徴とする。
【００２９】
この構成により、非透過状態で受信した透過状態解除情報に基づいて透過状態の解除を指示する透過状態解除指示返信情報を上流側へ返信して上流側に配置された端末電子機器の透過状態を容易かつ確実に解除することが可能な透過状態制御方法とすることができる。
【００３０】
本発明に係る端末電子機器の透過状態制御方法は、中央制御装置に対して他の端末電子機器と共にデイジーチェーン接続され前記中央制御装置からの情報を処理する端末電子機器の透過状態制御方法であって、前記他の端末電子機器に対して自機を識別する識別子を記憶する識別子記憶ステップと、デイジーチェーン接続の上流側との通信を行なう第１通信ステップと、デイジーチェーン接続の下流側との通信を行なう第２通信ステップと、前記第１通信ステップで受信した情報が自機に対する情報であるか否かを前記識別子に基づいて判断する判断ステップと、前記第１通信ステップで受信した情報が自機に対する情報で無いと前記判断ステップで判断したときは前記第１通信ステップで受信した情報を前記第２通信ステップで下流側へ透過送信する透過状態に設定する透過状態設定ステップと、透過状態における前記第１通信ステップでの受信が設定された受信回数になったときに透過状態を解除する透過状態解除ステップとを備えることを特徴とする。
【００３１】
この構成により、自機に関係の無い情報を受信した場合は下流側への透過送信を行なう透過状態を設定することによって高速通信を実現し、設定された受信回数に対応する受信をした場合に透過状態を解除することから、透過状態の設定と解除を容易かつ確実に実行することができ、スループットの低下が無く、高速通信が可能な端末電子機器の透過状態制御方法とすることができる。
【００３２】
本発明に係る端末電子機器の透過状態制御方法は、中央制御装置に対して他の端末電子機器と共にデイジーチェーン接続され前記中央制御装置からの情報を処理する端末電子機器の透過状態制御方法であって、前記他の端末電子機器に対して自機を識別する識別子を記憶する識別子記憶ステップと、デイジーチェーン接続の上流側との通信を行なう第１通信ステップと、デイジーチェーン接続の下流側との通信を行なう第２通信ステップと、前記第１通信ステップで受信した情報が自機に対する情報であるか否かを前記識別子に基づいて判断する判断ステップと、前記第１通信ステップで受信した情報が自機に対する情報で無いと前記判断ステップで判断したときは前記第１通信ステップで受信した情報を前記第２通信ステップで下流側へ透過送信する透過状態に設定する透過状態設定ステップと、透過状態において前記第１通信ステップで受信した情報を前記第２通信ステップから下流側へ透過送信したときからの計時時間が設定された設定時間になったときに透過状態を解除する透過状態解除ステップとを備えることを特徴とする。
【００３３】
この構成により、自機に関係の無い情報を受信した場合は下流側への透過送信を行なう透過状態を設定することによって高速通信を実現し、設定された設定時間を経過した場合に透過状態を解除することから、透過状態の設定と解除を容易かつ確実に実行することができ、スループットの低下が無く、高速通信が可能な端末電子機器の透過状態制御方法とすることができる。
【００３４】
本発明に係る端末制御システムは、情報を送信する中央制御装置と、該中央制御装置に対してデイジーチェーン接続され前記中央制御装置からの情報を受信して情報に応じた処理を実行する複数の端末電子機器とを備える端末制御システムであって、前記端末電子機器は、本発明に係る端末電子機器であることを特徴とする。
【００３５】
この構成により、端末電子機器の透過状態の設定と解除を容易かつ確実に実行することができ、スループットの低下が無く、高速通信が可能な端末制御システムとすることができる。
【発明の効果】
【００３６】
本発明に係る端末電子機器によれば、上流側から受信した情報が自機に対する情報で無い場合は透過状態に設定する透過状態設定部と、下流側から受信した情報が透過状態の解除を指示する透過状態解除指示返信情報であるときは透過状態を解除する透過状態解除部とを備えることから、透過状態の設定と解除を容易かつ確実に実行することができ、スループットの低下が無く、高速通信が可能な端末電子機器を提供することができるという効果を奏する。
【００３７】
また、本発明に係る端末電子機器によれば、上流側から受信した情報が自機に対する情報で無い場合は透過状態に設定する透過状態設定部と、第１通信部での受信が設定された受信回数になったときに透過状態を解除する透過状態解除部とを備えることから、透過状態の設定と解除を容易かつ確実に実行することができ、スループットの低下が無く、高速通信が可能な端末電子機器を提供することができるという効果を奏する。
【００３８】
また、本発明に係る端末電子機器によれば、上流側から受信した情報が自機に対する情報で無い場合は透過状態に設定する透過状態設定部と、透過状態において前記第１通信部で受信した情報を前記第２通信部から下流側へ透過送信したときからの計時時間が設定された設定時間になったときに透過状態を解除する透過状態解除部とを備えることから、透過状態の設定と解除を容易かつ確実に実行することができ、スループットの低下が無く、高速通信が可能な端末電子機器を提供することができるという効果を奏する。
【００３９】
また、本発明に係る透過状態制御方法によれば、上流側から受信した情報が自機に対する情報で無い場合は透過状態に設定する透過状態設定ステップと、下流側から受信した情報が透過状態の解除を指示する透過状態解除指示返信情報であるときは透過状態を解除する透過状態解除ステップとを備えることから、透過状態の設定と解除を容易かつ確実に実行することができ、スループットの低下が無く、高速通信が可能な端末電子機器の透過状態制御方法を提供することができるという効果を奏する。
【００４０】
また、本発明に係る透過状態制御方法によれば、上流側から受信した情報が自機に対する情報で無い場合は透過状態に設定する透過状態設定ステップと、第１通信部での受信が設定された受信回数になったときに透過状態を解除する透過状態解除ステップとを備えることから、透過状態の設定と解除を容易かつ確実に実行することができ、スループットの低下が無く、高速通信が可能な端末電子機器の透過状態制御方法を提供することができるという効果を奏する。
【００４１】
また、本発明に係る透過状態制御方法によれば、上流側から受信した情報が自機に対する情報で無い場合は透過状態に設定する透過状態設定ステップと、透過状態において第１通信ステップで受信した情報を第２通信ステップから下流側へ透過送信したときからの計時時間が設定された設定時間になったときに透過状態を解除する透過状態解除ステップとを備えることから、透過状態の設定と解除を容易かつ確実に実行することができ、スループットの低下が無く、高速通信が可能な端末電子機器の透過状態制御方法を提供することができるという効果を奏する。
【００４２】
また、本発明に係る端末制御システムによれば、情報を送信する中央制御装置と、中央制御装置に対してデイジーチェーン接続され中央制御装置からの情報を受信して情報に応じた処理を実行する複数の本発明に係る端末電子機器とを備えることから、端末電子機器の透過状態の設定と解除を容易かつ確実に実行することができ、スループットの低下が無く、高速通信が可能な端末制御システムを提供することができるという効果を奏する。
【発明を実施するための最良の形態】
【００４３】
以下、本発明の実施の形態を図面に基づいて説明する。
【００４４】
＜実施の形態１＞
図１ないし図３に基づいて、実施の形態１に係る端末制御システム、端末電子機器、および端末電子機器の透過状態制御方法について説明する。
【００４５】
図１は、本発明の実施の形態１に係る端末制御システムの概略構成ブロックを示すブロック図である。
【００４６】
本実施の形態１に係る端末制御システムは、中央制御装置１と中央制御装置１にデイジーチェーン接続され中央制御装置１からの情報を処理する複数の端末電子機器１００で構成してある。なお、情報としては、いわゆる各種のコマンド、データなどが含まれる。情報の詳細については、実施の形態２ないし実施の形態４でさらに説明する。
【００４７】
端末電子機器１００は、自機と他の端末電子機器１００とを識別する固有の識別子（ＩＤ番号）をそれぞれ付与されている。各端末電子機器１００を他の端末電子機器１００と区別する必要があるときは、ＩＤ番号を適用して示す。以下、例えば、ＩＤ番号を１とされた端末電子機器１００は端末電子機器ＩＤ１と、ＩＤ番号をＭとされた端末電子機器１００は端末電子機器ＩＤＭと記載する。
【００４８】
つまり、本実施の形態では、端末電子機器ＩＤ１、端末電子機器ＩＤ２、・・・、端末電子機器ＩＤＭ−１、端末電子機器ＩＤＭ、・・・、端末電子機器ＩＤＮで示すＮ台の端末電子機器１００（端末電子機器ＩＤ１〜端末電子機器ＩＤＮをそれぞれ区別する必要が無い場合は、単に端末電子機器１００とする。）が、中央制御装置１にデイジーチェーン接続されている。
【００４９】
中央制御装置１は例えばコンピュータで構成され、端末電子機器１００は例えば表示装置で構成される。例えば１０台ないし５０台といった多数の端末電子機器１００が接続される。なお、端末電子機器１００も後述するようにコンピュータを内蔵する構成としてある。
【００５０】
本実施の形態に係る端末制御システムでは、デイジーチェーン接続をした状態であることから、中央制御装置１から端末電子機器１００への情報通信は、通常は全ての情報が端末電子機器ＩＤ１〜端末電子機器ＩＤＮそれぞれに対して順次伝達される。
【００５１】
また、本実施の形態では、例えば端末電子機器ＩＤＭに対してのみ中央制御装置１からの情報を送信する場合に、端末電子機器ＩＤＭの上流側に接続された端末電子機器ＩＤ１〜端末電子機器ＩＤＭ−１を透過状態（上流側から送信されてきた情報に対して自機としての処理を施さずにそのまま下流側へ透過送信（通過送信）する状態。または、下流側から返信されてきた情報を情報に対する処理を施さずにそのまま上流側へ透過返信（通過返信）する状態。なお、透過状態でない場合は非透過状態という。）に設定して、選択した特定の端末電子機器ＩＤＭに対して中央制御装置１からの情報を高速で送信する構成としてある。
【００５２】
さらに、本実施の形態では、透過状態とした端末電子機器ＩＤ１〜端末電子機器ＩＤＭ−１の透過状態を容易に解除する構成としてある。
【００５３】
図２は、本発明の実施の形態１に係る端末制御システムを構成する中央制御装置の概略構成ブロックを示すブロック図である。
【００５４】
本実施の形態に適用される中央制御装置１は、相互に連係して機能する中央処理部１０、中央記憶部２０、中央タイマー制御部３０、シリアル通信処理部４０を備える。
【００５５】
中央処理部１０は、中央記憶部２０に対する書き込み、読み出し、中央タイマー制御部３０と連係した端末制御システムでのタイマー制御、シリアル通信処理部４０の制御などを実行する。シリアル通信処理部４０には、通信規格である例えばＲＳ−２３２Ｃを適用してある。
【００５６】
中央処理部１０は、中央制御装置１から端末電子機器１００へ送信する情報を生成して送信し、端末電子機器１００から返信された情報を解釈して端末制御システム全体を機能させる。
【００５７】
中央記憶部２０は、いわゆる一時記憶メモリとしてのＲＡＭで構成され、送信済みデータ（送信済みバイト数情報）の記憶、透過状態端末電子機器管理情報（接続されている端末電子機器１００の透過状態の管理情報、端末電子機器それぞれを識別するためにそれぞれに付与してある識別子に関する情報など）の記憶、端末電子機器接続情報（端末電子機器１００の接続情報など）の記憶などを行なう。
【００５８】
中央タイマー制御部３０は、端末電子機器１００に対して情報を送信してからの経過時間を計時し、必要に応じて端末制御システムでのタイムアウト（時間超過）の判断などを行なう。
【００５９】
シリアル通信処理部４０は、外部（デイジーチェーン接続された端末電子機器１００）に対する送信機能、受信機能を併せて実行する構成としてある。なお、通信は、端末電子機器１００に接続された端子４１を介して実行される。つまり、中央処理部１０によって生成された情報を端末電子機器１００へ送信し、また、端末電子機器１００から返信された情報を受信し、中央処理部１０へ伝送する。
【００６０】
なお、中央制御装置１（中央処理部１０、中央記憶部２０、中央タイマー制御部３０、シリアル通信処理部４０）の機能の制御は、中央制御装置１（中央処理部１０）に対して予め組み込まれたコンピュータプログラムによって実行される。
【００６１】
図３は、本発明の実施の形態１に係る端末制御システムを構成する端末電子機器の概略構成ブロックを示すブロック図である。
【００６２】
本実施の形態に係る端末電子機器１００は、端末中央処理部１１０、端末記憶部１２０、判断部１３０、透過状態設定部１４０ｓ、透過状態解除部１４０ｃ、返信情報生成部１５０、端末タイマー制御部１６０、カウンタ減算部１７０、シリアル通信処理部１８０を備える。
【００６３】
また、端末電子機器１００は、例えば表示装置としてあることから、映像処理部１９０、表示部１９１を備える。
【００６４】
また、シリアル通信処理部１８０は、上流側端子１８１ｆを介してデイジーチェーン接続の上流側との通信（上流側から送信された情報を受信／下流側から返信された情報を上流側へ返信）を行なう第１通信部１８０ｆと、下流側端子１８１ｓを介してデイジーチェーン接続の下流側との通信（上流側から送信された情報を下流側へ送信／下流側から返信された情報を受信）を行なう第２通信部１８０ｓとを備える。シリアル通信処理部１８０には、中央制御装置１と同様に、通信規格である例えばＲＳ−２３２Ｃを適用してある。
【００６５】
つまり、第１通信部１８０ｆは、デイジーチェーン接続の上流側との通信を行なう（第１通信ステップ）ことが可能である。また、第２通信部１８０ｓは、デイジーチェーン接続の下流側との通信を行なう（第２通信ステップ）ことが可能である。
【００６６】
端末中央処理部１１０は、端末記憶部１２０、判断部１３０、透過状態設定部１４０ｓ、透過状態解除部１４０ｃ、返信情報生成部１５０、端末タイマー制御部１６０、カウンタ減算部１７０、シリアル通信処理部１８０、第１通信部１８０ｆ、第２通信部１８０ｓ、映像処理部１９０、表示部１９１と連係してそれぞれの機能を発揮させる構成としてある。
【００６７】
なお、端末電子機器１００（端末中央処理部１１０、端末記憶部１２０、判断部１３０、透過状態設定部１４０ｓ、透過状態解除部１４０ｃ、返信情報生成部１５０、端末タイマー制御部１６０、カウンタ減算部１７０、シリアル通信処理部１８０、第１通信部１８０ｆ、第２通信部１８０ｓ、映像処理部１９０、表示部１９１）の機能の制御は、端末電子機器１００（端末中央処理部１１０）に対して予め組み込まれたコンピュータプログラムによって実行される。
【００６８】
端末記憶部１２０は、いわゆる一時記憶メモリとしてのＲＡＭで構成され、他の端末電子機器１００に対して自機（端末電子機器１００）を識別する識別子（ＩＤ番号）、自機が透過状態であることを示す透過状態フラグ、透過状態を解除して非透過状態とするための透過状態解除コード、カウンタ機能を動作させるときのカウンタ設定値Ｃｓ（実施の形態３参照）、タイマー機能を動作させるときのタイマー設定値Ｗｓ（実施の形態４参照）などを記憶する。
【００６９】
なお、識別子を記憶する記憶領域は識別子記憶部１２０ｉｄとして構成されている。つまり、端末電子機器１００は、デイジーチェーン接続された他の端末電子機器１００に対して自機を識別する識別子（ＩＤ番号：識別番号）を予め割り当てられ識別子記憶部１２０ｉｄに記憶しておく（識別子記憶ステップ）。識別子の割り当て制御は、中央制御装置１によって実行することが可能である。
【００７０】
判断部１３０（識別子比較部）は、中央制御装置１から送信された情報に組み込まれた識別子（ＩＤ番号）と、識別子記憶部１２０ｉｄに記憶された自機の識別子（ＩＤ番号）とを比較して第１通信部１８０ｆで受信した情報が自機に対する情報であるか否かを識別子比較部として判断する。
【００７１】
つまり、第１通信部１８０ｆで受信した情報が自機に対する情報であるか否かを識別子（ＩＤ番号）に基づいて判断する（判断ステップ）。なお、判断部１３０は、識別子比較部として機能する他、端末電子機器１００としての判断が必要となる事項に対する判断を適宜実行する構成としてある。
【００７２】
透過状態設定部１４０ｓは、第１通信部１８０ｆ（第１通信ステップ）で受信した情報が自機に対する情報でないと判断部１３０で判断したとき（判断ステップ）、第１通信部１８０ｆで受信（第１通信ステップ）した情報を第２通信部１８０ｓから下流側へそのまま透過（通過）させて透過送信（通過送信）（第２通信ステップ）する透過状態に設定する（透過状態設定ステップ）。
【００７３】
透過状態解除部１４０ｃは、予め設定された条件を満たしたとき透過状態を解除して非透過状態とする（透過状態解除ステップ）。
【００７４】
なお、予め設定された条件を満たしたときとは、後述する実施の形態２では、例えば第２通信部１８０ｓで受信した情報が透過状態の解除を指示する透過状態解除指示返信情報Ｅ（図６の端末電子機器ＩＤＭ参照）である場合であり、後述する実施の形態３では、例えば第１通信部１８０ｆでの受信回数が予め設定された受信回数（カウンタ設定値Ｃｓ）（図１０参照）となった場合であり、後述する実施の形態４では、例えば第１通信部１８０ｆで受信した情報を第２通信部１８０ｓで下流側へ送信したときから第２通信部１８０ｓで受信した情報を第１通信部１８０ｆで上流側へ返信したときまでの計時時間が予め設定された設定時間（タイマー設定値Ｗｓ）（図１５参照）となった場合である。それぞれの詳細については、実施の形態２ないし実施の形態４で説明する。
【００７５】
返信情報生成部１５０は、例えば、第１通信部１８０ｆで受信した情報に対する応答情報Ｒ（実施の形態２ないし実施の形態４参照）の生成と上流側への返信を行ない、また、非透過状態の場合に第１通信部１８０ｆで受信した情報が透過状態解除情報Ｑであるときは透過状態解除指示返信情報Ｅ（実施の形態２参照）を上流側へ返信する。
【００７６】
なお、透過状態解除指示返信情報Ｅの返信は、透過状態解除情報Ｑをそのまま返信する形態としても良く、また、新規に透過状態解除指示返信情報Ｅを生成する形態として良い。以下、透過状態解除情報Ｑに対する上流側への返信情報は、透過状態解除情報Ｑをそのまま返信する場合も含めて透過状態解除指示返信情報Ｅとして表す。
【００７７】
端末タイマー制御部１６０は、内蔵したタイマー機能（実施の形態４参照）を制御する構成としてある。つまり、タイマー設定値Ｗｓの設定機能、タイマーの計時開始機能、タイマーの計時停止機能、タイマー設定値Ｗｓに対する計時時間の超過検出機能を有する。なお、タイマー値Ｗの設定値（タイマー設定値Ｗｓ）は、上述したとおり端末記憶部１２０に一時記憶される。
【００７８】
カウンタ減算部１７０は、内蔵したカウンタ機能（実施の形態３参照）を制御する構成としてある。つまり、第１通信部１８０ｆでの情報の受信に対応させて設定された受信回数（カウンタ設定値Ｃｓ）に対する減算を実行する。したがって、端末中央処理部１１０と連係して受信回数がカウンタ設定値Ｃｓに対応する状態を検出することができる。なお、カウンタ値Ｃの初期値として中央制御装置１によって指定されるカウンタ設定値Ｃｓは、上述したとおり端末記憶部１２０に一時記憶される。
【００７９】
映像処理部１９０は、第１通信部１８０ｆから入力された情報（例えばデータ情報としての映像信号）に対して表示部１９１に対応した加工を施し、表示部１９１によってデータ情報に対応した表示を行なう。
【００８０】
上述したとおり、端末中央処理部１１０は、端末記憶部１２０に対する書き込み、読み出し、判断部１３０に対する判断結果の確認、透過状態設定部１４０ｓおよび透過状態解除部１４０ｃに対する制御／連係、返信情報生成部１５０が生成した応答情報Ｒ、透過状態解除指示返信情報Ｅの上流側の第２通信部１８０ｓへの送信（返信）、端末タイマー制御部１６０に対する連係（指示、問い合わせ、結果取得）、カウンタ減算部１７０に対する連係（指示、問い合わせ、結果取得）、映像処理部１９０および表示部１９１に対する制御などを実行する。
【００８１】
＜実施の形態２＞
図４ないし図９に基づいて、本発明の実施の形態２に係る端末制御システム、端末電子機器、端末電子機器の透過状態制御方法について説明する。
【００８２】
本実施の形態に係る端末制御システム、端末電子機器は、実施の形態１の中央制御装置１、端末電子機器１００と同様としてある。したがって、実施の形態１で記載した中央制御装置１、端末電子機器１００、端末電子機器１００の透過状態制御方法を適宜援用する。また、主に異なる事項について説明し、重複する構成の説明は適宜省略する。
【００８３】
本実施の形態では、中央制御装置１からの情報によって、例えば、端末電子機器ＩＤ１〜端末電子機器ＩＤＭ−１を透過状態に設定し、端末電子機器ＩＤＭ−１の次に接続された端末電子機器ＩＤＭのみに適用する情報を送信する場合を例示して説明する。なお、実施の形態３、実施の形態４でも同様とする。
【００８４】
また、以下の図では、上流側から下流側への情報の流れを送信として一点鎖線で示し、下流側から上流側への情報の流れを返信として二点鎖線で示す。
【００８５】
図４は、本発明の実施の形態２に係る端末制御システムで、端末電子機器を透過状態に設定するときの状況を説明する説明図である。
【００８６】
先ず、中央制御装置１は、端末電子機器ＩＤＭに対する情報である情報Ｘ（例えばコマンド情報）について、選択した端末電子機器ＩＤＭにのみ関連することを示すために識別子（ＩＤ番号：Ｍ）を組み込んだ固有情報Ｘ（Ｍ）を生成する。つまり、固有情報Ｘ（Ｍ）は、識別子（ＩＤ番号）が「Ｍ」である端末電子機器１００（端末電子機器ＩＤＭ）に対して送信される情報であることを意味する。
【００８７】
中央制御装置１で生成された固有情報Ｘ（Ｍ）は、シリアル通信処理部４０から端子４１を介してデイジーチェーン接続された端末電子機器１００（端末電子機器ＩＤ１）の第１通信部１８０ｆへ送信される。
【００８８】
端末電子機器ＩＤ１（判断部１３０）は、上流側端子１８１ｆを介して第１通信部１８０ｆで受信した中央制御装置１からの固有情報Ｘ（Ｍ）が自機に関係する情報か否かを自機の識別子と比較して判断する（判断ステップ）。なお、識別子は上述したとおり、予め割り当てられ識別子記憶部１２０ｉｄに記憶してある（識別子記憶ステップ）。
【００８９】
上述したとおり、固有情報Ｘ（Ｍ）に組み込まれた識別子（ＩＤ番号＝Ｍ）は、端末電子機器ＩＤ１の識別子（ＩＤ番号＝１）ではないことから、端末電子機器ＩＤ１は、下流側端子１８１ｓを介して第２通信部１８０ｓから下流側の端末電子機器１００（端末電子機器ＩＤ２）へ固有情報Ｘ（Ｍ）を送信する。
【００９０】
また、端末電子機器ＩＤ１（透過状態設定部１４０ｓ）は、中央制御装置１から受信した情報が固有情報Ｘ（Ｍ）であり自機に関係がなかったことから、自機を透過状態とする（透過状態設定ステップ）。つまり、端末電子機器ＩＤ１は、透過状態設定部１４０ｓを機能させることによって、第１通信部１８０ｆで受信した情報を第２通信部１８０ｓから下流側へそのまま透過（通過）させて透過送信（通過送信）する透過状態に設定される（透過状態設定ステップ）。
【００９１】
以下、下流側に接続された端末電子機器１００（端末電子機器ＩＤ２〜端末電子機器ＩＤＭ−１）は、端末電子機器ＩＤ１と同様に動作する。つまり、中央制御装置１から端末電子機器ＩＤＭの手前までの経路に接続された端末電子機器ＩＤ１〜端末電子機器ＩＤＭ−１は全て、受信した情報をそのまま透過（通過）させる透過状態に設定された状態となる。
【００９２】
端末電子機器ＩＤＭ（判断部１３０）は、上流側端子１８１ｆを介して第１通信部１８０ｆで受信した端末電子機器ＩＤＭ−１（中央制御装置１）からの固有情報Ｘ（Ｍ）が自機に関係する情報か否かを自機の識別子と比較して判断する（判断ステップ）。
【００９３】
上述したとおり、固有情報Ｘ（Ｍ）は、端末電子機器ＩＤＭに対する情報であることから、端末電子機器ＩＤＭは、固有情報Ｘ（Ｍ）を受信して情報Ｘ（例えばコマンド情報）に応じた処理を実行する。
【００９４】
また、端末電子機器ＩＤＭ（返信情報生成部１５０）は、情報Ｘに応じた処理を実行したことを示す応答情報Ｒを生成し、上流側端子１８１ｆを介して第１通信部１８０ｆから上流側（端末電子機器ＩＤＭ−１）へ応答情報Ｒを返信する。
【００９５】
端末電子機器ＩＤＭ−１は、上述したとおり既に透過状態とされていることから、下流側端子１８１ｓを介して第２通信部１８０ｓで受信した応答情報Ｒに対して何ら処理を施すことなく、上流側端子１８１ｆを介して第１通信部１８０ｆから上流側へそのまま応答情報Ｒを透過（通過）させて透過返信（通過返信）する。
【００９６】
以下、上流側に接続された端末電子機器１００（端末電子機器ＩＤＭ−２（不図示）〜端末電子機器ＩＤ１）は、端末電子機器ＩＤＭ−１と同様に動作する。つまり、端末電子機器ＩＤＭ−１〜端末電子機器ＩＤ１は全て、第２通信部１８０ｓで受信した情報（応答情報Ｒ）をそのまま透過させ上流側端子１８１ｆを介して第１通信部１８０ｆから上流側の端末電子機器１００へ透過返信する。
【００９７】
したがって、中央制御装置１は、端末電子機器ＩＤ１から透過返信された応答情報Ｒを受信して、固有情報Ｘ（Ｍ）に対する端末電子機器ＩＤＭでの処理がなされたことを確認することが可能となる。また併せて、端末電子機器ＩＤＭの上流側に接続された経路中の端末電子機器１００（端末電子機器ＩＤ１〜端末電子機器ＩＤＭ−１）が全て透過状態に設定されたことを確認することが可能となる。
【００９８】
図５は、本発明の実施の形態２に係る端末制御システムで、透過状態に設定された端末電子機器の間を透過送信し選択した端末電子機器のみに対して情報を送信するときの状況を説明する説明図である。
【００９９】
図４で示したとおり、端末電子機器ＩＤ１〜端末電子機器ＩＤＭ−１は全て透過状態に設定されている。したがって、中央制御装置１は、選択した端末電子機器ＩＤＭのみに対してデータ情報Ｄを送信（透過送信）することが可能となる。なお、情報の通信に適用される各部（第１通信部１８０ｆ、第２通信部１８０ｓ、上流側端子１８１ｆ、下流側端子１８１ｓ）の動作は図４の場合と同様であるので適宜説明を省略する。
【０１００】
先ず、中央制御装置１は、端末電子機器ＩＤＭに対する情報（データ）であるデータ情報Ｄをシリアル通信処理部４０から端末電子機器ＩＤ１（端末電子機器１００）へ送信する。
【０１０１】
中央制御装置１からのデータ情報Ｄを第１通信部１８０ｆで受信した端末電子機器ＩＤ１は、上述したとおり透過状態としてある。したがって、データ情報Ｄはそのまま、第２通信部１８０ｓから下流側の端末電子機器１００（（端末電子機器ＩＤ２））へ透過送信される。
【０１０２】
以下、下流側に接続された端末電子機器１００（端末電子機器ＩＤ２〜端末電子機器ＩＤＭ−１）は、端末電子機器ＩＤ１と同様に動作する。つまり、中央制御装置１から端末電子機器ＩＤＭの手前までの経路に接続された端末電子機器ＩＤ１〜端末電子機器ＩＤＭ−１は全て、受信したデータ情報Ｄをそのまま透過（通過）させる。したがって、データ情報Ｄは、高速で中央制御装置１から端末電子機器ＩＤＭへ送信（透過送信）される。
【０１０３】
端末電子機器ＩＤＭは、非透過状態であることから、第１通信部１８０ｆで端末電子機器ＩＤＭ−１（中央制御装置１）からのデータ情報Ｄを受信して対応する処理を施す。つまり、端末電子機器ＩＤＭは、データ情報Ｄに対する処理を実行することとなる。
【０１０４】
また、端末電子機器ＩＤＭ（返信情報生成部１５０）は、データ情報Ｄに応じた処理を実行したことを示す応答情報Ｒを生成し、第１通信部１８０ｆから上流側（端末電子機器ＩＤＭ−１）へ応答情報Ｒを返信する。
【０１０５】
端末電子機器ＩＤＭから応答情報Ｒの返信を受信した端末電子機器ＩＤＭ−１は、上述したとおり透過状態であることから、第２通信部１８０ｓで受信した応答情報Ｒを第１通信部１８０ｆから上流側へそのまま透過（通過）させて透過返信（通過返信）する。
【０１０６】
以下、上流側に接続された端末電子機器１００（端末電子機器ＩＤＭ−２（不図示）〜端末電子機器ＩＤ１）は、端末電子機器ＩＤＭ−１と同様に動作する。つまり、端末電子機器ＩＤＭ−１〜端末電子機器ＩＤ１は全て、第２通信部１８０ｓで受信した情報（応答情報Ｒ）をそのまま透過させて第１通信部１８０ｆから上流側の端末電子機器１００へ透過返信する。
【０１０７】
したがって、中央制御装置１は、端末電子機器ＩＤ１から透過返信された応答情報Ｒを受信して、データ情報Ｄに対する端末電子機器ＩＤＭでの処理がなされたことを確認することが可能となる。つまり、データ情報Ｄの正常送信を確認した中央制御装置１は、以降の処理へ移行することが可能となり、例えば、継続して存在する以降のデータ情報Ｄを端末電子機器ＩＤＭに対して継続的に送信することが可能となる。
【０１０８】
上述したとおり、データ情報Ｄには、端末電子機器ＩＤＭを特定するための付加情報を追加する必要が全く無いことから、特定の端末電子機器１００（例えば端末電子機器ＩＤＭ）に対してスループットを低下させずに高速通信を実行することが可能となる。
【０１０９】
図６は、本発明の実施の形態２に係る端末制御システムで、透過状態に設定された端末電子機器の透過状態を解除して非透過状態へ戻すときの状況を説明する説明図である。
【０１１０】
図４、図５で示したとおり、端末電子機器ＩＤ１〜端末電子機器ＩＤＭ−１は全て透過状態に設定してある。また、情報の通信に適用される各部の動作は図４の場合と同様であるので適宜説明を省略する。
【０１１１】
先ず、中央制御装置１は、端末電子機器ＩＤＭに対する情報であり、経路中の透過状態となっている端末電子機器１００（端末電子機器ＩＤ１〜端末電子機器ＩＤＭ−１）の透過状態の解除を指示する情報である透過状態解除情報Ｑを生成する。透過状態解除情報Ｑは、シリアル通信処理部４０から端末電子機器１００（端末電子機器ＩＤ１）へ送信される。
【０１１２】
端末電子機器ＩＤ１は、透過状態であることから第１通信部１８０ｆで受信した透過状態解除情報Ｑを第２通信部１８０ｓから下流側へそのまま透過送信する。
【０１１３】
以下、下流側に接続された端末電子機器１００（端末電子機器ＩＤ２〜端末電子機器ＩＤＭ−１）は、端末電子機器ＩＤ１と同様に動作する。つまり、中央制御装置１から端末電子機器ＩＤＭの手前までの経路に接続された端末電子機器ＩＤ１〜端末電子機器ＩＤＭ−１は全て、受信した透過状態解除情報Ｑをそのまま透過（通過）させて下流側へ透過送信する。
【０１１４】
端末電子機器ＩＤＭは、非透過状態であることから、端末電子機器ＩＤＭ−１から透過送信されてきた透過状態解除情報Ｑを受信して対応する処理を実行する。
【０１１５】
つまり、端末電子機器ＩＤＭ（返信情報生成部１５０）は、第１通信部１８０ｆで受信した情報が透過状態の解除を指示する透過状態解除情報Ｑであることから、透過状態の解除を指示する透過状態解除指示返信情報Ｅを生成し、生成した透過状態解除指示返信情報Ｅを第１通信部１８０ｆから上流側（端末電子機器ＩＤＭ−１）へ返信する（返信情報生成ステップ）。
【０１１６】
なお、上述したとおり、透過状態解除指示返信情報Ｅを生成せずに透過状態解除情報Ｑをそのまま上流側へ返信する形態とすることも可能であり、透過状態解除情報Ｑを返信する場合も含めて透過状態解除指示返信情報Ｅを上流側へ返信するとして記載する。
【０１１７】
端末電子機器ＩＤＭ−１は、下流側から返信され第２通信部１８０ｓで受信した情報が透過状態の解除を指示する透過状態解除指示返信情報Ｅであることから、透過状態解除部１４０ｃを機能させる。つまり、透過状態解除部１４０ｃは、透過状態解除指示返信情報Ｅに基づいて透過状態を解除して非透過状態とし透過状態解除指示返信情報Ｅを上流側へ第１通信部１８０ｆから返信する（透過状態解除ステップ）。
【０１１８】
以下、上流側に接続された端末電子機器１００（端末電子機器ＩＤＭ−２（不図示）〜端末電子機器ＩＤ１）は、端末電子機器ＩＤＭ−１と同様に動作する。つまり、端末電子機器ＩＤＭ−１〜端末電子機器ＩＤ１は全て、第２通信部１８０ｓで受信した情報（透過状態解除指示返信情報Ｅ）に基づいて透過状態を解除して透過状態解除指示返信情報Ｅを第１通信部１８０ｆから上流側の端末電子機器１００へ返信する。
【０１１９】
したがって、中央制御装置１は、端末電子機器ＩＤ１から返信された透過状態解除指示返信情報Ｅを受信して、透過状態解除情報Ｑに対する端末電子機器ＩＤＭでの処理がなされ、端末電子機器ＩＤＭの上流側に接続された経路中の端末電子機器１００（端末電子機器ＩＤＭ−１〜端末電子機器ＩＤ１）が全て透過状態を解除されたことを確認することが可能となる。
【０１２０】
図７は、本発明の実施の形態２に係る端末制御システムでの中央制御装置の概略動作フローを示すフローチャートである。
【０１２１】
図４ないし図６で示したとおり、本実施の形態に係る端末制御システムは、中央制御装置１からの情報に対応させて端末電子機器１００を動作させる。ステップＳ１０１ないしステップＳ１１４に基づいて図４ないし図６に対応する中央制御装置１の動作フローを説明する。
【０１２２】
ステップＳ１０１：
中央記憶部２０に端末電子機器ＩＤＭへ送信する情報として識別子（ＩＤ番号Ｍ）を組み込んだ固有情報Ｘ（Ｍ）を読み込む。
【０１２３】
ステップＳ１０２：
シリアル通信処理部４０から端末電子機器ＩＤＭに対する固有情報Ｘ（Ｍ）を送信する。端末電子機器ＩＤＭの上流側に接続された端末電子機器１００（端末電子機器ＩＤ１〜端末電子機器ＩＤＭ−１）は、固有情報Ｘ（Ｍ）によって透過状態に設定される。また、固有情報Ｘ（Ｍ）の送信先である端末電子機器ＩＤＭは、受信した固有情報Ｘ（Ｍ）を処理したことを応答情報Ｒとして上流側へ返信する。
【０１２４】
ステップＳ１０３：
端末電子機器ＩＤＭからの返信である応答情報Ｒを受信したか否かを判断する。応答情報Ｒを受信した場合（ステップＳ１０３：ＹＥＳ）は、ステップＳ１０４へ移行する。応答情報Ｒを受信していない場合（ステップＳ１０３：ＮＯ）は、ステップＳ１０５へ移行する。
【０１２５】
ステップＳ１０４：
応答情報Ｒの受信によって、端末電子機器ＩＤＭまでの上流側に接続された端末電子機器１００（端末電子機器ＩＤ１〜端末電子機器ＩＤＭ−１）は、透過状態であることを確認できる。したがって、中央制御装置１は、端末電子機器ＩＤＭのみに対する情報としてデータ情報Ｄを送信し、ステップＳ１０７へ移行する。
【０１２６】
ステップＳ１０５：
送信した固有情報Ｘ（Ｍ）に対する端末電子機器ＩＤＭからの応答情報Ｒを受信していないことから、受信許容時間として設定した時間になっているか否かを判断する。タイムアウト（受信許容時間を超過）の場合（ステップＳ１０５：ＹＥＳ）は、ステップＳ１０６へ移行する。タイムアウト（受信許容時間を超過）していない場合（ステップＳ１０５：ＮＯ）は、ステップＳ１０３へ戻る。なお、受信許容時間は、中央タイマー制御部３０によって予め設定され計時される。
【０１２７】
ステップＳ１０６：
受信許容時間を超過していることから、タイムアウトとしてエラー処理を施して処理を終了する。
【０１２８】
ステップＳ１０７：
データ情報Ｄの送信に対する端末電子機器ＩＤＭからの応答情報Ｒを受信したか否かを判断する。データ情報Ｄが正常に送信され対応する応答情報Ｒを受信した場合（ステップＳ１０７：ＹＥＳ）は、ステップＳ１０８へ移行する。応答情報Ｒを受信していない場合（ステップＳ１０７：ＮＯ）は、ステップＳ１０９へ移行する。
【０１２９】
ステップＳ１０８：
端末電子機器ＩＤＭに対して送信すべき全てのデータ情報Ｄを送信したか否かを判断する。全てのデータ情報Ｄを送信した場合（ステップＳ１０８：ＹＥＳ）は、ステップＳ１１１へ移行する。全てのデータ情報Ｄを送信していない場合（ステップＳ１０８：ＮＯ）は、ステップＳ１０４へ戻り、継続してデータ情報Ｄを送信する。
【０１３０】
ステップＳ１０９：
送信したデータ情報Ｄに対する端末電子機器ＩＤＭからの応答情報Ｒを受信していないことから、受信許容時間として設定した時間になっているか否かを判断する。タイムアウト（受信許容時間を超過）の場合（ステップＳ１０９：ＹＥＳ）は、ステップＳ１１０へ移行する。タイムアウト（受信許容時間を超過）していない場合（ステップＳ１０９：ＮＯ）は、ステップＳ１０７へ戻る。なお、受信許容時間は、ステップＳ１０５の場合と同様、中央タイマー制御部３０によって予め設定され計時される。
【０１３１】
ステップＳ１１０：
受信許容時間を超過していることから、タイムアウトとしてエラー処理を施して処理を終了する。
【０１３２】
ステップＳ１１１：
非透過状態の端末電子機器ＩＤＭに対して透過状態解除情報Ｑを送信する。つまり、透過状態解除情報Ｑは、透過状態の端末電子機器１００（端末電子機器ＩＤ１〜端末電子機器ＩＤＭ−１）を透過送信されることから、端末電子機器ＩＤＭに対して実質上直接送信された状態となる。
【０１３３】
透過状態解除情報Ｑを受信した端末電子機器ＩＤＭは、透過状態解除情報Ｑに対する処理を施す。つまり、返信情報生成部１５０は、第１通信部１８０ｆで受信した情報が透過状態の解除を求める透過状態解除情報Ｑであることから、透過状態解除指示返信情報Ｅを生成して（あるいは、上述したとおり、透過状態解除情報Ｑをそのまま透過状態解除指示返信情報Ｅとして）上流側へ返信する。
【０１３４】
ステップＳ１１２：
端末電子機器ＩＤＭからの返信である透過状態解除指示返信情報Ｅを受信したか否かを判断する。透過状態解除指示返信情報Ｅを受信した場合（ステップＳ１１２：ＹＥＳ）は、処理を終了する。透過状態解除指示返信情報Ｅを受信していない場合（ステップＳ１１２：ＮＯ）は、ステップＳ１１３へ移行する。
【０１３５】
透過状態解除指示返信情報Ｅの受信によって、端末電子機器ＩＤＭまでの上流側に接続された端末電子機器１００（端末電子機器ＩＤ１〜端末電子機器ＩＤＭ−１）は、透過状態を解除され非透過状態となったことを確認できる。
【０１３６】
ステップＳ１１３：
送信した透過状態解除情報Ｑに対する端末電子機器ＩＤＭからの返信である透過状態解除指示返信情報Ｅを受信していないことから、受信許容時間として設定した時間になっているか否かを判断する。タイムアウト（受信許容時間を超過）の場合（ステップＳ１１３：ＹＥＳ）は、ステップＳ１１４へ移行する。タイムアウト（受信許容時間を超過）していない場合（ステップＳ１１３：ＮＯ）は、ステップＳ１１２へ戻る。なお、受信許容時間は、ステップＳ１０５の場合と同様、中央タイマー制御部３０によって予め設定され計時される。
【０１３７】
ステップＳ１１４：
受信許容時間を超過していることから、タイムアウトとしてエラー処理を施して処理を終了する。
【０１３８】
図８は、本発明の実施の形態２に係る端末制御システムでの端末電子機器が非透過状態の場合の概略動作フローを示すフローチャートである。
【０１３９】
図４ないし図６で示したとおり、本実施の形態に係る端末制御システムでの端末電子機器１００は、中央制御装置１からの情報に対応して動作する。ステップＳ１２１ないしステップＳ１２８に基づいて図４ないし図６に対応する端末電子機器１００が非透過状態の場合の動作フローを説明する。
【０１４０】
ステップＳ１２１：
端末電子機器１００は、第１通信部１８０ｆで上流側からの情報を受信する。
【０１４１】
ステップＳ１２２：
受信した情報が固有情報Ｘ（Ｍ）の場合（ステップＳ１２２：ＹＥＳ）は、ステップＳ１２３へ移行する。受信した情報が固有情報Ｘ（Ｍ）の場合（ステップＳ１２２：ＮＯ）は、ステップＳ１２４へ移行する。
【０１４２】
ステップＳ１２３：
固有情報Ｘ（Ｍ）は、自機に対する情報であるか否かを判断する（判断ステップ）。判断は、判断部１３０（識別子比較部）で情報に組み込まれた識別子（ＩＤ番号）を比較することによって実行される。
【０１４３】
固有情報Ｘ（Ｍ）が自機に対する情報の場合（ステップＳ１２３：ＹＥＳ）は、ステップＳ１２５へ移行する。固有情報Ｘ（Ｍ）が自機に対する情報でない場合（ステップＳ１２３：ＮＯ）は、ステップＳ１２６へ移行する。
【０１４４】
ステップＳ１２４：
情報は固有情報Ｘ（Ｍ）でないと判断された場合、情報は、透過状態解除情報Ｑか否かを判断部１３０で判断する。情報が透過状態解除情報Ｑでない場合（ステップＳ１２４：ＮＯ）は、ステップＳ１２５へ移行する。情報が端末電子機器ＩＤＭに対する透過状態解除情報Ｑである場合（ステップＳ１２４：ＹＥＳ）は、ステップＳ１２８へ移行する。
【０１４５】
ステップＳ１２５：
固有情報Ｘ（Ｍ）が自機に関する情報である場合、あるいは、情報が透過状態解除情報Ｑでない場合、端末電子機器１００は情報に応じた処理を実行する。つまり、端末電子機器ＩＤＭとしての処理が求められた固有情報Ｘに対応する処理などを行なう。また、情報に対する処理に併せて返信情報生成部１５０で応答情報Ｒを生成して上流側へ返信し、処理を終了する（応答情報生成ステップ）。
【０１４６】
ステップＳ１２６：
固有情報Ｘ（Ｍ）は自機に対する情報でないことから、第２通信部１８０ｓから下流側へ固有情報Ｘ（Ｍ）を送信し、ステップＳ１２７へ移行する。
【０１４７】
ステップＳ１２７：
固有情報Ｘ（Ｍ）は、自機に対する情報でなかったことから、自機（端末電子機器１００）を透過状態に設定（透過状態設定ステップ）して処理を終了する。
【０１４８】
ステップＳ１２８：
情報は端末電子機器ＩＤＭに対する透過状態解除情報Ｑであることから、返信情報生成部１５０で透過状態解除指示返信情報Ｅを生成（あるいは、透過状態解除情報Ｑをそのまま透過状態解除指示返信情報Ｅとすることも可能である。）して上流側へ第１通信部１８０ｆから返信する（返信情報生成ステップ）。上流側に接続された端末電子機器１００（端末電子機器ＩＤＭ−１〜端末電子機器ＩＤ１）は、第２通信部１８０ｓで下流側からの透過状態解除指示返信情報Ｅを受信して、透過状態を解除（図９のステップＳ１３４参照）することとなる。
【０１４９】
図９は、本発明の実施の形態２に係る端末制御システムでの端末電子機器が透過状態の場合の概略動作フローを示すフローチャートである。
【０１５０】
ステップＳ１３１ないしステップＳ１３６に基づいて図４ないし図６に対応する端末電子機器１００が透過状態の場合の動作フローを説明する。
【０１５１】
ステップＳ１３１：
端末電子機器１００は、第１通信部１８０ｆで上流側からの情報であるデータ情報Ｄを受信したか否かを判断する。データ情報Ｄを受信した場合（ステップＳ１３１：ＹＥＳ）は、ステップＳ１３２へ移行する。データ情報Ｄを受信していない場合（ステップＳ１３１：ＮＯ）は、ステップＳ１３３へ移行する。判断は、判断部１３０で情報を分析することによって適宜実行される。
【０１５２】
ステップＳ１３２：
端末電子機器１００は、透過状態であり受信した情報がデータ情報Ｄであることから、第２通信部１８０ｓから下流側へデータ情報Ｄを透過送信し、ステップＳ１３３へ移行する。
【０１５３】
ステップＳ１３３：
端末電子機器１００は、第２通信部１８０ｓで下流側からの情報を受信したか否かを判断する。第２通信部１８０ｓで下流側からの情報を受信した場合（ステップＳ１３３：ＹＥＳ）は、ステップＳ１３４へ移行する。下流側からの情報を受信していない場合（ステップＳ１３３：ＮＯ）は、処理を終了する。判断は、判断部１３０で情報を分析することによって適宜実行される。
【０１５４】
ステップＳ１３４：
下流側から返信された情報は、透過状態解除指示返信情報Ｅであるか否かを判断する。情報が透過状態解除指示返信情報Ｅである場合は、ステップＳ１３５へ移行する。情報が透過状態解除指示返信情報Ｅでない場合は、ステップＳ１３６へ移行する。判断は、判断部１３０で情報を分析することによって適宜実行される。
【０１５５】
ステップＳ１３５：
端末電子機器１００は、透過状態であり、受信した情報が透過状態解除指示返信情報Ｅであることから、透過状態解除部１４０ｃで透過状態を解除して非透過状態とし透過状態解除指示返信情報Ｅを第２通信部１８０ｓから上流側へ返信する（透過状態解除ステップ）。
【０１５６】
ステップＳ１３６：
第２通信部１８０ｓで下流側から受信した情報が、透過状態解除指示返信情報Ｅではないことから、第１通信部１８０ｆからそのまま上流側へ情報を返信する。本ステップでの情報は、例えば応答情報Ｒの場合がある。
【０１５７】
上述したとおり、本実施の形態に係る端末電子機器１００は、中央制御装置１に対して他の端末電子機器１００と共にデイジーチェーン接続され中央制御装置１からの情報を処理する端末電子機器１００であって、他の端末電子機器１００に対して自機を識別する識別子（例えばＩＤ番号）を記憶する識別子記憶部１２０ｉｄと、デイジーチェーン接続の上流側との通信を行なう第１通信部１８０ｆと、デイジーチェーン接続の下流側との通信を行なう第２通信部１８０ｓと、第１通信部１８０ｆで受信した情報が自機に対する情報であるか否かを識別子に基づいて判断する判断部１３０と、第１通信部１８０ｆで受信した情報が自機に対する情報で無いと判断部１３０で判断したときは第１通信部１８０ｆで受信した情報を第２通信部１８０ｓから下流側へ透過送信する透過状態に設定する透過状態設定部１４０ｓと、第２通信部１８０ｓで受信した情報が透過状態の解除を指示する透過状態解除指示返信情報Ｅであるときは透過状態を解除して非透過状態とし透過状態解除指示返信情報Ｅを上流側へ返信する透過状態解除部１４０ｃとを備える。
【０１５８】
したがって、非透過状態で自機に関係の無い情報を受信した場合は透過状態を設定して下流側へ透過送信することによって高速通信を実現し、下流側からの透過状態解除指示返信情報Ｅに基づいて透過状態を解除して非透過状態とすることが可能となることから、透過状態の設定と解除を容易かつ確実に実行することができ、スループットの低下が無く、高速通信が可能な端末電子機器１００とすることができる。
【０１５９】
また、本実施の形態に係る端末電子機器１００では、非透過状態の場合に第１通信部１８０ｆで受信した情報が透過状態の解除を指示する透過状態解除情報Ｑであるときは透過状態解除指示返信情報Ｅを上流側へ返信する返信情報生成部１５０を備える。
【０１６０】
したがって、非透過状態で受信した透過状態解除情報Ｑに基づいて透過状態の解除を指示する透過状態解除指示返信情報Ｅを上流側へ返信することから、上流側に配置された端末電子機器１００の透過状態を容易かつ確実に解除することが可能となる。
【０１６１】
また、本実施の形態に係る端末電子機器１００の透過状態制御方法は、中央制御装置１に対して他の端末電子機器１００と共にデイジーチェーン接続され中央制御装置１からの情報を処理する端末電子機器１００の透過状態制御方法であって、他の端末電子機器１００に対して自機を識別する識別子（例えばＩＤ番号）を記憶する識別子記憶ステップと、デイジーチェーン接続の上流側との通信を行なう第１通信ステップと、デイジーチェーン接続の下流側との通信を行なう第２通信ステップと、第１通信ステップで受信した情報が自機に対する情報であるか否かを識別子に基づいて判断する判断ステップと、第１通信ステップで受信した情報が自機に対する情報で無いと判断ステップで判断したときは第１通信ステップで受信した情報を第２通信ステップで下流側へ透過送信する透過状態に設定する透過状態設定ステップと、第２通信ステップで受信した情報が透過状態の解除を指示する透過状態解除指示返信情報Ｅであるときは透過状態を解除して非透過状態し透過状態解除指示返信情報Ｅを上流側へ返信する透過状態解除ステップとを備える。
【０１６２】
したがって、非透過状態で自機に関係の無い情報を受信した場合は透過状態を設定して下流側へ透過送信することによって高速通信を実現し、下流側からの透過状態解除指示返信情報Ｅに基づいて透過状態を解除して非透過状態とすることが可能となることから、透過状態の設定と解除を容易かつ確実に実行することができ、スループットの低下が無く、高速通信が可能な端末電子機器１００の透過状態制御方法とすることができる。
【０１６３】
また、本実施の形態に係る端末電子機器１００の透過状態制御方法では、非透過状態の場合に第１通信ステップで受信した情報が透過状態の解除を指示する透過状態解除情報Ｑであるときは透過状態解除指示返信情報Ｅを上流側へ返信する返信情報生成ステップを備える。
【０１６４】
したがって、非透過状態で受信した透過状態解除情報Ｑに基づいて透過状態の解除を指示する透過状態解除指示返信情報Ｅを上流側へ返信することから、上流側に配置された端末電子機器１００の透過状態を容易かつ確実に解除することが可能となる。
【０１６５】
また、本実施の形態に係る端末制御システムは、情報を送信する中央制御装置１と、中央制御装置１に対してデイジーチェーン接続され中央制御装置１からの情報（固有情報Ｘ（Ｍ）、データ情報Ｄ、透過状態解除情報Ｑなど）を受信して情報に応じた処理（透過状態の設定、データ情報Ｄの処理、応答情報Ｒの返信、透過状態解除指示返信信号Ｅの返信、透過状態解除指示返信信号Ｅによる透過状態の解除など）を実行する複数の端末電子機器１００とを備える。
【０１６６】
したがって、端末電子機器１００の透過状態の設定と解除を容易かつ確実に実行することができ、スループットの低下が無く、高速通信が可能な端末制御システムとすることができる。
【０１６７】
＜実施の形態３＞
図１０ないし図１４に基づいて、本発明の実施の形態３に係る端末制御システム、端末電子機器、端末電子機器の透過状態制御方法について説明する。
【０１６８】
本実施の形態に係る端末制御システム、端末電子機器は、実施の形態１の中央制御装置１、端末電子機器１００と同様としてある。したがって、実施の形態１で記載した中央制御装置１、端末電子機器１００、端末電子機器１００の透過状態制御方法を適宜援用する。また、主に異なる事項について説明し、重複する構成の説明は適宜省略する。
【０１６９】
本実施の形態では、例えば端末電子機器ＩＤ１〜端末電子機器ＩＤＭ−１の透過状態の制御を透過状態設定部１４０ｓと透過状態解除部１４０ｃで実行する。つまり、第１通信部１８０ｆで受信した情報が自機に対する情報で無いと判断部１３０で判断したときは第１通信部１８０ｆで受信した情報を第２通信部１８０ｓから下流側へ透過送信する透過状態に設定する透過状態設定部１４０ｓと、透過状態における第１通信部１８０ｆでの受信が予め設定された受信回数（カウンタ設定値Ｃｓ）になったときに透過状態を解除する透過状態解除部１４０ｃとを備える。
【０１７０】
図１０は、本発明の実施の形態３に係る端末制御システムで、端末電子機器を透過状態に設定するときの状況を説明する説明図である。
【０１７１】
先ず、中央制御装置１は、端末電子機器ＩＤＭに対する情報である情報Ｘ（例えばコマンド情報）について、選択した端末電子機器ＩＤＭにのみ関連することを示すための識別子（ＩＤ番号：Ｍ）、および、透過状態を解除する条件として中央制御装置１で予め設定した受信回数（カウンタ設定値Ｃｓ）を組み込んだ固有情報Ｘ（Ｍ，Ｃ）を生成する。
【０１７２】
つまり、固有情報Ｘ（Ｍ，Ｃ）は、識別子（ＩＤ番号）が「Ｍ」である端末電子機器１００（端末電子機器ＩＤＭ）に対して送信され、端末電子機器ＩＤＭの上流側に接続された端末電子機器１００を透過状態とする情報であることを意味する。また、透過状態を解除する条件が透過状態における端末電子機器１００での受信回数に対するカウンタ値Ｃ（カウンタ設定値Ｃｓ）を用いて設定してあることを意味する。
【０１７３】
中央制御装置１で生成された固有情報Ｘ（Ｍ，Ｃ）は、シリアル通信処理部４０から端子４１を介してデイジーチェーン接続された端末電子機器１００（端末電子機器ＩＤ１）の第１通信部１８０ｆへ送信される。
【０１７４】
端末電子機器ＩＤ１（判断部１３０）は、上流側端子１８１ｆを介して第１通信部１８０ｆで受信した中央制御装置１からの固有情報Ｘ（Ｍ，Ｃ）が自機に関係する情報か否かを自機の識別子と比較して判断する（判断ステップ）。なお、識別子は上述したとおり、予め割り当てられ識別子記憶部１２０ｉｄに記憶してある（識別子記憶ステップ）。
【０１７５】
上述したとおり、固有情報Ｘ（Ｍ，Ｃ）に組み込まれた識別子（ＩＤ番号＝Ｍ）は、端末電子機器ＩＤ１の識別子（ＩＤ番号＝１）ではないことから、端末電子機器ＩＤ１は、下流側端子１８１ｓを介して第２通信部１８０ｓから下流側の端末電子機器１００（端末電子機器ＩＤ２）へ固有情報Ｘ（Ｍ，Ｃ）を送信する。
【０１７６】
また、端末電子機器ＩＤ１（透過状態設定部１４０ｓ）は、中央制御装置１から受信した情報が固有情報Ｘ（Ｍ，Ｃ）であり自機に関係がなかったことから、自機を透過状態とする（透過状態設定ステップ）。つまり、端末電子機器ＩＤ１は、透過状態設定部１４０ｓを機能させることによって、第１通信部１８０ｆで受信した情報を第２通信部１８０ｓから下流側へそのまま透過（通過）させて透過送信（通過送信）する透過状態に設定される（透過状態設定ステップ）。
【０１７７】
本実施の形態では、受信回数を計数するカウンタ値Ｃとしてカウンタ設定値Ｃｓが固有情報Ｘ（Ｍ）に組み込まれていることから、端末中央処理部１１０は、第１通信部１８０ｆでの受信回数を規定するために設定されたカウンタ設定値Ｃｓを端末記憶部１２０に記憶させる。
【０１７８】
また、端末中央処理部１１０は、カウンタ減算部１７０に対して、下流側から返信された応答情報Ｒを第２通信部１８０ｓで受信し第１通信部１８０ｆから上流側へ返信した場合にカウンタ設定値Ｃｓからの減算を返信の都度実行するように指示する（返信時の減算については、図１１でさらに説明する。）。つまり、カウンタ設定値Ｃｓは、透過状態での受信を規定する受信回数に対応することとなる。
【０１７９】
以下、下流側に接続された端末電子機器１００（端末電子機器ＩＤ２〜端末電子機器ＩＤＭ−１）は、端末電子機器ＩＤ１と同様に動作する。つまり、中央制御装置１から端末電子機器ＩＤＭの手前までの経路に接続された端末電子機器ＩＤ１〜端末電子機器ＩＤＭ−１は全て、受信した情報をそのまま透過（通過）させる透過状態に設定された状態となる。また、カウンタ設定値Ｃｓは、端末記憶部１２０に記憶された状態となる。
【０１８０】
端末電子機器ＩＤＭ（判断部１３０）は、上流側端子１８１ｆを介して第１通信部１８０ｆで受信した端末電子機器ＩＤＭ−１（中央制御装置１）からの固有情報Ｘ（Ｍ，Ｃ）が自機に関係する情報か否かを自機の識別子と比較して判断する（判断ステップ）。
【０１８１】
上述したとおり、固有情報Ｘ（Ｍ，Ｃ）は、端末電子機器ＩＤＭに対する情報であることから、端末電子機器ＩＤＭは、固有情報Ｘ（Ｍ，Ｃ）を受信して情報Ｘ（例えばコマンド情報）に応じた処理を実行する。
【０１８２】
また、端末電子機器ＩＤＭ（返信情報生成部１５０）は、情報Ｘに応じた処理を実行したことを示す応答情報Ｒを生成し、上流側端子１８１ｆを介して第１通信部１８０ｆから上流側（端末電子機器ＩＤＭ−１）へ応答情報Ｒを返信する。
【０１８３】
端末電子機器ＩＤＭ−１は、上述したとおり既に透過状態とされていることから、下流側端子１８１ｓを介して第２通信部１８０ｓで受信した応答情報Ｒに対して何ら処理を施すことなく、上流側端子１８１ｆを介して第１通信部１８０ｆから上流側へそのまま応答情報Ｒを透過（通過）させて透過返信（通過返信）する。
【０１８４】
以下、上流側に接続された端末電子機器１００（端末電子機器ＩＤＭ−２（不図示）〜端末電子機器ＩＤ１）は、端末電子機器ＩＤＭ−１と同様に動作する。つまり、端末電子機器ＩＤＭ−１〜端末電子機器ＩＤ１は全て、第２通信部１８０ｓで受信した情報（応答情報Ｒ）をそのまま透過させ上流側端子１８１ｆを介して第１通信部１８０ｆから上流側の端末電子機器１００へ透過返信する。
【０１８５】
したがって、中央制御装置１は、端末電子機器ＩＤ１から透過返信された応答情報Ｒを受信して、固有情報Ｘ（Ｍ，Ｃ）に対する端末電子機器ＩＤＭでの処理がなされたことを確認することが可能となる。また併せて、端末電子機器ＩＤＭの上流側に接続された経路中の端末電子機器１００（端末電子機器ＩＤ１〜端末電子機器ＩＤＭ−１）が全て透過状態に設定されたことを確認することが可能となる。
【０１８６】
図１１は、本発明の実施の形態３に係る端末制御システムで、透過状態に設定された端末電子機器の間を透過送信し選択した端末電子機器のみに対して情報を送信するときの状況および透過状態解除の状況を説明する説明図である。
【０１８７】
図１０で示したとおり、端末電子機器ＩＤ１〜端末電子機器ＩＤＭ−１は全て透過状態に設定されている。したがって、中央制御装置１は、選択した端末電子機器ＩＤＭのみに対してデータ情報Ｄを送信（透過送信）することが可能となる。なお、情報の通信に適用される各部（第１通信部１８０ｆ、第２通信部１８０ｓ、上流側端子１８１ｆ、下流側端子１８１ｓ）の動作は図１０の場合と同様であるので適宜説明を省略する。
【０１８８】
先ず、中央制御装置１は、端末電子機器ＩＤＭに対する情報（データ）であるデータ情報Ｄをシリアル通信処理部４０から端末電子機器ＩＤ１（端末電子機器１００）へ送信する。
【０１８９】
中央制御装置１からのデータ情報Ｄを第１通信部１８０ｆで受信した端末電子機器ＩＤ１は、上述したとおり透過状態としてある。したがって、データ情報Ｄはそのまま、第２通信部１８０ｓから下流側の端末電子機器１００（（端末電子機器ＩＤ２））へ透過送信される。
【０１９０】
以下、下流側に接続された端末電子機器１００（端末電子機器ＩＤ２〜端末電子機器ＩＤＭ−１）は、端末電子機器ＩＤ１と同様に動作する。つまり、中央制御装置１から端末電子機器ＩＤＭの手前までの経路に接続された端末電子機器ＩＤ１〜端末電子機器ＩＤＭ−１は全て、受信したデータ情報Ｄをそのまま透過（通過）させる。したがって、データ情報Ｄは、高速で中央制御装置１から端末電子機器ＩＤＭへ送信（透過送信）される。
【０１９１】
端末電子機器ＩＤＭは、非透過状態であることから、第１通信部１８０ｆで端末電子機器ＩＤＭ−１（中央制御装置１）からのデータ情報Ｄを受信して対応する処理を施す。つまり、端末電子機器ＩＤＭは、データ情報Ｄに対する処理を実行することとなる。
【０１９２】
また、端末電子機器ＩＤＭ（返信情報生成部１５０）は、データ情報Ｄに応じた処理を実行したことを示す応答情報Ｒを生成し、第１通信部１８０ｆから上流側（端末電子機器ＩＤＭ−１）へ応答情報Ｒを返信する。
【０１９３】
端末電子機器ＩＤＭから応答情報Ｒの返信を受信した端末電子機器ＩＤＭ−１は、上述したとおり透過状態であることから、第２通信部１８０ｓで受信した応答情報Ｒを第１通信部１８０ｆから上流側へそのまま透過（通過）させて透過返信（通過返信）する。
【０１９４】
また、端末中央処理部１１０は、透過返信に対応させてカウンタ減算部１７０を機能させる。つまり、下流側から返信された応答情報Ｒを第２通信部１８０ｓで受信し第１通信部１８０ｆから上流側へ透過返信した場合に、カウンタ減算部１７０に対して、カウンタ設定値Ｃｓからの減算（カウンタ値Ｃの減算：Ｃ＝Ｃ−１）を返信の都度実行するように指示する（カウンタ減算処理ステップ）。
【０１９５】
第１通信部１８０ｆから上流側への返信の都度カウンタ減算部１７０でカウンタ値Ｃの減算を実行することから、端末電子機器１００は、最終的にカウンタ設定値Ｃｓに対応する受信回数を検知することが可能となる。
【０１９６】
カウンタ値Ｃの減算の結果、カウンタ値Ｃ＝０となったとき（カウンタ設定値Ｃｓによって予め設定された受信回数になったとき）、透過状態解除部１４０ｃは、透過状態を解除し、非透過状態とする（透過状態解除ステップ）。
【０１９７】
以下、上流側に接続された端末電子機器１００（端末電子機器ＩＤＭ−２（不図示）〜端末電子機器ＩＤ１）は、端末電子機器ＩＤＭ−１と同様に動作する。つまり、端末電子機器ＩＤＭ−１〜端末電子機器ＩＤ１は全て、第２通信部１８０ｓで受信した情報（応答情報Ｒ）をそのまま透過させて第１通信部１８０ｆから上流側の端末電子機器１００へ透過返信する。また、予め設定した受信回数の受信をしたとき（カウンタ値Ｃ＝０となったとき）、透過状態を解除して非透過状態とする。
【０１９８】
中央制御装置１は、端末電子機器ＩＤ１から透過返信された応答情報Ｒを受信して、データ情報Ｄに対する端末電子機器ＩＤＭでの処理がなされたことを確認することが可能となる。つまり、データ情報Ｄの正常送信を確認した中央制御装置１は、以降の処理へ移行することが可能となり、例えば、継続して存在する以降のデータ情報Ｄを端末電子機器ＩＤＭに対して継続的に送信することが可能となる。
【０１９９】
上述したとおり、データ情報Ｄには、端末電子機器ＩＤＭを特定するための付加情報を追加する必要が全く無いことから、特定の端末電子機器１００（例えば端末電子機器ＩＤＭ）に対してスループットを低下させずに高速通信を実行することが可能となる。
【０２００】
また、中央制御装置１は、透過状態を設定する固有情報Ｘ（Ｍ，Ｃ）に予め透過状態を解除する条件を受信回数（カウンタ設定値Ｃｓ）として設定し、各端末電子機器１００を透過状態に設定するときに透過状態解除条件として同時に設定することにより、透過状態となった以降で透過状態を解除するための特別な情報の送信を不要とすることが可能となり、制御性良く容易に透過状態を解除することができる。
【０２０１】
図１２は、本発明の実施の形態３に係る端末制御システムでの中央制御装置の概略動作フローを示すフローチャートである。
【０２０２】
図１０、図１１で示したとおり、本実施の形態に係る端末制御システムは、中央制御装置１からの情報に対応させて端末電子機器１００を動作させる。ステップＳ２０１ないしステップＳ２１０に基づいて図１０、図１１に対応する中央制御装置１の動作フローを説明する。
【０２０３】
ステップＳ２０１：
中央記憶部２０に端末電子機器ＩＤＭへ送信する情報として識別子（ＩＤ番号Ｍ）とカウンタ値Ｃ（カウンタ設定値Ｃｓ）を組み込んだ固有情報Ｘ（Ｍ，Ｃ）を読み込む。
【０２０４】
ステップＳ２０２：
シリアル通信処理部４０から端末電子機器ＩＤＭに対する固有情報Ｘ（Ｍ，Ｃ）を送信する。端末電子機器ＩＤＭの上流側に接続された端末電子機器１００（端末電子機器ＩＤ１〜端末電子機器ＩＤＭ−１）は、固有情報Ｘ（Ｍ，Ｃ）によって透過状態に設定される（透過状態設定ステップ）。また、固有情報Ｘ（Ｍ，Ｃ）の送信先である端末電子機器ＩＤＭは、受信した固有情報Ｘ（Ｍ，Ｃ）を処理したことを応答情報Ｒとして上流側へ返信する。
【０２０５】
ステップＳ２０３：
端末電子機器ＩＤＭからの返信である応答情報Ｒを受信したか否かを判断する。応答情報Ｒを受信した場合（ステップＳ２０３：ＹＥＳ）は、ステップＳ２０４へ移行する。応答情報Ｒを受信していない場合（ステップＳ２０３：ＮＯ）は、ステップＳ２０５へ移行する。
【０２０６】
ステップＳ２０４：
応答情報Ｒの受信によって、端末電子機器ＩＤＭまでの上流側に接続された端末電子機器１００（端末電子機器ＩＤ１〜端末電子機器ＩＤＭ−１）は、透過状態であることを確認できる。したがって、中央制御装置１は、端末電子機器ＩＤＭのみに対する情報としてデータ情報Ｄを送信し、ステップＳ２０７へ移行する。
【０２０７】
ステップＳ２０５：
送信した固有情報Ｘ（Ｍ，Ｃ）に対する端末電子機器ＩＤＭからの応答情報Ｒを受信していないことから、受信許容時間として設定した時間になっているか否かを判断する。タイムアウト（受信許容時間を超過）の場合（ステップＳ２０５：ＹＥＳ）は、ステップＳ２０６へ移行する。タイムアウト（受信許容時間を超過）していない場合（ステップＳ２０５：ＮＯ）は、ステップＳ２０３へ戻る。なお、受信許容時間は、中央タイマー制御部３０によって予め設定され計時される。
【０２０８】
ステップＳ２０６：
受信許容時間を超過していることから、タイムアウトとしてエラー処理を施して処理を終了する。
【０２０９】
ステップＳ２０７：
データ情報Ｄの送信に対する端末電子機器ＩＤＭからの応答情報Ｒを受信したか否かを判断する。データ情報Ｄが正常に送信され対応する応答情報Ｒを受信した場合（ステップＳ２０７：ＹＥＳ）は、ステップＳ２０８へ移行する。応答情報Ｒを受信していない場合（ステップＳ２０７：ＮＯ）は、ステップＳ２０９へ移行する。
【０２１０】
ステップＳ２０８：
端末電子機器ＩＤＭに対して送信すべき全てのデータ情報Ｄを送信したか否かを判断する。全てのデータ情報Ｄを送信した場合（ステップＳ２０８：ＹＥＳ）は、処理を終了する。全てのデータ情報Ｄを送信していない場合（ステップＳ２０８：ＮＯ）は、ステップＳ２０４へ戻り、継続してデータ情報Ｄを送信する。
【０２１１】
なお、端末電子機器１００（端末電子機器ＩＤ１〜端末電子機器ＩＤＭ−１）は、処理の終了のときはカウンタ設定値Ｃｓの回数の受信を実行しており、カウンタ減算部１７０によるカウンタの減算によってカウンタ値Ｃ＝０となっていることから透過状態を解除される（透過状態解除ステップ）。つまり、本実施の形態では、透過状態の解除に際して、中央制御装置１から解除のための情報をあらためて送信する必要が無い。
【０２１２】
ステップＳ２０９：
送信したデータ情報Ｄに対する端末電子機器ＩＤＭからの応答情報Ｒを受信していないことから、受信許容時間として設定した時間になっているか否かを判断する。タイムアウト（受信許容時間を超過）の場合（ステップＳ２０９：ＹＥＳ）は、ステップＳ２１０へ移行する。タイムアウト（受信許容時間を超過）していない場合（ステップＳ２０９：ＮＯ）は、ステップＳ２０７へ戻る。なお、受信許容時間は、ステップＳ２０５の場合と同様、中央タイマー制御部３０によって予め設定され計時される。
【０２１３】
ステップＳ２１０：
受信許容時間を超過していることから、タイムアウトとしてエラー処理を施して処理を終了する。
【０２１４】
上述したとおり、本実施の形態では、固有情報Ｘ（Ｍ）にカウンタ値Ｃを組み込んだ固有情報Ｘ（Ｍ，Ｃ）を送信して端末電子機器１００（端末電子機器ＩＤ１〜端末電子機器ＩＤＭ−１）の透過状態を設定し、端末電子機器ＩＤ１〜端末電子機器ＩＤＭ−１それぞれでの受信回数が設定した受信回数（カウンタ設定値Ｃｓ）となったときに端末電子機器１００の透過状態を解除することによって、実施の形態２で適用した中央制御装置１での透過状態解除情報Ｑの生成／送信ステップ、端末電子機器ＩＤＭでの透過状態解除指示返信情報Ｅの生成／返信ステップ、中央制御装置１での透過状態解除指示返信情報Ｅの受信ステップが不要となり、情報の生成／送信ステップ、判断ステップを簡略化することが可能となり、透過状態の解除を容易かつ確実に実行することが可能となる。
【０２１５】
図１３は、本発明の実施の形態３に係る端末制御システムでの端末電子機器が非透過状態の場合の概略動作フローを示すフローチャートである。
【０２１６】
図１０、図１１で示したとおり、本実施の形態に係る端末制御システムでの端末電子機器１００は、中央制御装置１からの情報に対応して動作する。ステップＳ２２１ないしステップＳ２２５に基づいて図１０、図１１に対応する端末電子機器１００が非透過状態の場合の動作フローを説明する。
【０２１７】
ステップＳ２２１：
端末電子機器１００は、第１通信部１８０ｆで上流側からの情報である固有情報Ｘ（Ｍ，Ｃ）を受信する。
【０２１８】
ステップＳ２２２：
受信した固有情報Ｘ（Ｍ，Ｃ）は、自機に対する情報であるか否かを判断する（判断ステップ）。判断は、判断部１３０（識別子比較部）で情報に組み込まれた識別子（ＩＤ番号）を比較することによって実行される。固有情報Ｘ（Ｍ，Ｃ）が自機に対する情報の場合（ステップＳ２２２：ＹＥＳ）は、ステップＳ２２３へ移行する。固有情報Ｘ（Ｍ，Ｃ）が自機に対する情報でない場合（ステップＳ２２２：ＮＯ）は、ステップＳ２２４へ移行する。
【０２１９】
ステップＳ２２３：
固有情報Ｘ（Ｍ，Ｃ）が自機に関する情報である場合であるから、端末電子機器１００は情報に応じた処理を実行する。つまり、端末電子機器ＩＤＭとしての処理が求められた固有情報Ｘに対応する処理を行なう。また、情報に対する処理に併せて返信情報生成部１５０で応答情報Ｒを生成して上流側へ返信し、処理を終了する（応答情報生成ステップ）。
【０２２０】
ステップＳ２２４：
固有情報Ｘ（Ｍ，Ｃ）は自機に対する情報でないことから、第２通信部１８０ｓから下流側へ固有情報Ｘ（Ｍ，Ｃ）を送信し、ステップＳ２２５へ移行する。
【０２２１】
ステップＳ２２５：
固有情報Ｘ（Ｍ，Ｃ）は、自機に対する情報でなかったことから、自機（端末電子機器１００）を透過状態に設定する（透過状態設定ステップ）。また、カウンタ値Ｃをカウンタ設定値Ｃｓに設定し、端末記憶部１２０で記憶しておく。併せて、カウンタ減算部１７０への機能開始を指示する。
【０２２２】
図１４は、本発明の実施の形態３に係る端末制御システムでの端末電子機器が透過状態の場合の概略動作フローを示すフローチャートである。
【０２２３】
ステップＳ２３１ないしステップＳ２３６に基づいて図１０、図１１に対応する端末電子機器１００が透過状態の場合の動作フローを説明する。
【０２２４】
ステップＳ２３１：
端末電子機器１００は、第１通信部１８０ｆで上流側からの情報であるデータ情報Ｄを受信したか否かを判断する。データ情報Ｄを受信した場合（ステップＳ２３１：ＹＥＳ）は、ステップＳ２３２へ移行する。データ情報Ｄを受信していない場合（ステップＳ２３１：ＮＯ）は、ステップＳ２３３へ移行する。判断は、判断部１３０で情報を分析することによって適宜実行される。
【０２２５】
ステップＳ２３２：
端末電子機器１００は、透過状態であり受信した情報がデータ情報Ｄであることから、第２通信部１８０ｓから下流側へデータ情報Ｄを透過送信し、ステップＳ２３３へ移行する。
【０２２６】
ステップＳ２３３：
端末電子機器１００は、第２通信部１８０ｓで下流側から応答情報Ｒを受信したか否かを判断する。第２通信部１８０ｓで下流側からの応答情報Ｒを受信した場合（ステップＳ２３３：ＹＥＳ）は、ステップＳ２３４へ移行する。下流側からの応答情報Ｒを受信していない場合（ステップＳ２３３：ＮＯ）は、処理を終了する。判断は、判断部１３０で情報を分析することによって適宜実行される。
【０２２７】
ステップＳ２３４：
端末電子機器１００は透過状態であるので、受信した応答情報Ｒを第１通信部１８０ｆから上流側へ透過返信し、ステップＳ２３５へ移行する。
【０２２８】
また、透過返信に併せて、カウンタ減算部１７０を機能させる。つまり、カウンタ減算部１７０でカウンタ値Ｃを減算する（新しいカウンタ値Ｃ＝直前のカウンタ値Ｃ−１として新しいカウンタ値Ｃを算出する）。なお、算出した新しいカウンタ値Ｃは、例えばカウンタ設定値Ｃｓと同様に端末記憶部１２０で記憶しておくことが可能である。
【０２２９】
ステップＳ２３５：
カウンタ値Ｃが１より大きいか否かを判断する。端末電子機器１００（端末中央処理部１１０）は、カウンタ減算部１７０での算出結果に基づいてカウンタ値Ｃが１より大きいか否かを判断することが可能である。
【０２３０】
カウンタ値Ｃが１より大きい場合（ステップＳ２３５：ＹＥＳ）は、継続して受信が可能であることから処理を終了する。カウンタ値Ｃが１より小さい場合（ステップＳ２３５：ＮＯ）は、ステップＳ２３６へ移行する。
【０２３１】
ステップＳ２３６：
受信回数に対応するカウンタ値Ｃが１より小さい（つまり、第１通信部１８０ｆでの受信回数が設定された受信回数、つまりカウンタ設定値Ｃｓに到達している。）ことから、透過状態解除部１４０ｃを機能させて透過状態を解除する（透過状態解除ステップ）。
【０２３２】
上述したとおり、本実施の形態に係る端末電子機器１００は、中央制御装置１に対して他の端末電子機器１００と共にデイジーチェーン接続され中央制御装置１からの情報を処理する端末電子機器１００であって、他の端末電子機器１００に対して自機を識別する識別子（例えばＩＤ番号）を記憶する識別子記憶部１２０ｉｄと、デイジーチェーン接続の上流側との通信を行なう第１通信部１８０ｆと、デイジーチェーン接続の下流側との通信を行なう第２通信部１８０ｓと、第１通信部１８０ｆで受信した情報が自機に対する情報であるか否かを識別子に基づいて判断する判断部１３０と、第１通信部１８０ｆで受信した情報が自機に対する情報で無いと判断部１３０で判断したときは第１通信部１８０ｆで受信した情報を第２通信部１８０ｓから下流側へ透過送信する透過状態に設定する透過状態設定部１４０ｓと、透過状態における第１通信部１８０ｆでの受信が予め設定された受信回数（カウンタ設定値Ｃｓ）になったときに透過状態を解除する透過状態解除部１４０ｃとを備える。
【０２３３】
したがって、自機に関係の無い情報を受信した場合は設定された受信回数に応じて下流側への透過送信を行なう透過状態を設定することによって高速通信を実現すると共に、設定された受信回数に対応する受信をした場合は透過状態を解除することが可能となることから、透過状態の設定と解除を容易かつ確実に実行することができ、スループットの低下が無く、高速通信が可能な端末電子機器１００とすることができる。
【０２３４】
また、本実施の形態に係る端末電子機器１００の透過状態制御方法は、中央制御装置１に対して他の端末電子機器１００と共にデイジーチェーン接続され中央制御装置１からの情報を処理する端末電子機器１００の透過状態制御方法であって、他の端末電子機器１００に対して自機を識別する識別子（例えばＩＤ番号）を記憶する識別子記憶ステップと、デイジーチェーン接続の上流側との通信を行なう第１通信ステップと、デイジーチェーン接続の下流側との通信を行なう第２通信ステップと、第１通信ステップで受信した情報が自機に対する情報であるか否かを識別子に基づいて判断する判断ステップと、第１通信ステップで受信した情報が自機に対する情報で無いと判断ステップで判断したときは第１通信ステップで受信した情報を第２通信ステップで下流側へ透過送信する透過状態に設定する透過状態設定ステップと、透過状態における第１通信ステップでの受信が設定された受信回数になったときに透過状態を解除する透過状態解除ステップとを備える。
【０２３５】
したがって、自機に関係の無い情報を受信した場合は設定された受信回数に応じて下流側への透過送信を行なう透過状態を設定することによって高速通信を実現すると共に、設定された受信回数に対応する受信をした場合は透過状態を解除することが可能となることから、透過状態の設定と解除を容易かつ確実に実行することができ、スループットの低下が無く、高速通信が可能な端末電子機器１００の透過状態制御方法とすることができる。
【０２３６】
また、本実施の形態に係る端末制御システムは、情報（固有情報Ｘ（Ｍ，Ｃ）、データ情報Ｄなど）を送信する中央制御装置１と、中央制御装置１に対してデイジーチェーン接続され中央制御装置１からの情報を受信して情報に応じた処理（透過状態の設定、データ情報Ｄの処理、応答情報Ｒの返信、透過状態における受信回数のカウントと設定された受信回数となったときの透過状態の解除など）を実行する複数の端末電子機器１００とを備える。
【０２３７】
したがって、端末電子機器１００の透過状態の設定と解除を容易かつ確実に実行することができ、スループットの低下が無く、高速通信が可能な端末制御システムとすることができる。
【０２３８】
＜実施の形態４＞
図１５ないし図１９に基づいて、本発明の実施の形態４に係る端末制御システム、端末電子機器、端末電子機器の透過状態制御方法について説明する。
【０２３９】
本実施の形態に係る端末制御システム、端末電子機器は、実施の形態１の中央制御装置１、端末電子機器１００と同様としてある。したがって、実施の形態１で記載した中央制御装置１、端末電子機器１００、端末電子機器１００の透過状態制御方法を適宜援用する。また、主に異なる事項について説明し、重複する構成の説明は適宜省略する。
【０２４０】
本実施の形態では、例えば、端末電子機器ＩＤ１〜端末電子機器ＩＤＭ−１の透過状態の制御を透過状態設定部１４０ｓと透過状態解除部１４０ｃで実行する。つまり、第１通信部１８０ｆで受信した情報が自機に対する情報で無いと判断部１３０で判断したときは第１通信部１８０ｆで受信した情報を第２通信部１８０ｓから下流側へ透過送信する透過状態に設定する透過状態設定部１４０ｓと、透過状態において第１通信部１８０ｆで受信した情報を第２通信部１８０ｓから下流側へ透過送信したときからの計時時間が設定された設定時間（タイマー設定値Ｗｓ）になったときに透過状態を解除する透過状態解除部とを備える。
【０２４１】
図１５は、本発明の実施の形態４に係る端末制御システムで、端末電子機器を透過状態に設定するときの状況を説明する説明図である。
【０２４２】
先ず、中央制御装置１は、端末電子機器ＩＤＭに対する情報である情報Ｘ（例えばコマンド情報）について、選択した端末電子機器ＩＤＭにのみ関連することを示すための識別子（ＩＤ番号：Ｍ）、および、透過状態を解除する条件として中央制御装置１で予め設定した設定時間（タイマー設定値Ｗｓ）を組み込んだ固有情報Ｘ（Ｍ，Ｗ）を生成する。
【０２４３】
つまり、固有情報Ｘ（Ｍ，Ｗ）は、識別子（ＩＤ番号）が「Ｍ」である端末電子機器１００（端末電子機器ＩＤＭ）に対して送信され、端末電子機器ＩＤＭの上流側に接続された端末電子機器１００を透過状態とする情報であることを意味する。また、透過状態を解除する条件がタイマー値Ｗ（タイマー設定値Ｗｓ）を用いて設定してあることを意味する。
【０２４４】
中央制御装置１で生成された固有情報Ｘ（Ｍ，Ｗ）は、シリアル通信処理部４０から端子４１を介してデイジーチェーン接続された端末電子機器１００（端末電子機器ＩＤ１）の第１通信部１８０ｆへ送信される。
【０２４５】
端末電子機器ＩＤ１（判断部１３０）は、上流側端子１８１ｆを介して第１通信部１８０ｆで受信した中央制御装置１からの固有情報Ｘ（Ｍ，Ｗ）が自機に関係する情報か否かを自機の識別子と比較して判断する（判断ステップ）。なお、識別子は上述したとおり、予め割り当てられ識別子記憶部１２０ｉｄに記憶してある（識別子記憶ステップ）。
【０２４６】
上述したとおり、固有情報Ｘ（Ｍ，Ｗ）に組み込まれた識別子（ＩＤ番号＝Ｍ）は、端末電子機器ＩＤ１の識別子（ＩＤ番号＝１）ではないことから、端末電子機器ＩＤ１は、下流側端子１８１ｓを介して第２通信部１８０ｓから下流側の端末電子機器１００（端末電子機器ＩＤ２）へ固有情報Ｘ（Ｍ，Ｗ）を送信する。
【０２４７】
また、端末電子機器ＩＤ１（透過状態設定部１４０ｓ）は、中央制御装置１から受信した情報が固有情報Ｘ（Ｍ，Ｗ）であり自機に関係がなかったことから、自機を透過状態とする（透過状態設定ステップ）。つまり、端末電子機器ＩＤ１は、透過状態設定部１４０ｓを機能させることによって、第１通信部１８０ｆで受信した情報を第２通信部１８０ｓから下流側へそのまま透過（通過）させて透過送信（通過送信）する透過状態に設定される（透過状態設定ステップ）。
【０２４８】
本実施の形態では、タイマー値Ｗとしてタイマー設定値Ｗｓが固有情報Ｘ（Ｍ）に組み込まれていることから、端末中央処理部１１０は、第１通信部１８０ｆで受信した情報を第２通信部１８０ｓで下流側へ透過送信したときからの計時時間が設定された設定時間になったか否かを判定するために設定されたタイマー設定値Ｗｓを端末記憶部１２０に記憶させる。
【０２４９】
以下、下流側に接続された端末電子機器１００（端末電子機器ＩＤ２〜端末電子機器ＩＤＭ−１）は、端末電子機器ＩＤ１と同様に動作する。つまり、中央制御装置１から端末電子機器ＩＤＭの手前までの経路に接続された端末電子機器ＩＤ１〜端末電子機器ＩＤＭ−１は全て、受信した情報をそのまま透過（通過）させる透過状態に設定された状態となる。また、タイマー設定値Ｗｓは、端末記憶部１２０に記憶された状態となる。
【０２５０】
端末電子機器ＩＤＭ（判断部１３０）は、上流側端子１８１ｆを介して第１通信部１８０ｆで受信した端末電子機器ＩＤＭ−１（中央制御装置１）からの固有情報Ｘ（Ｍ，Ｗ）が自機に関係する情報か否かを自機の識別子と比較して判断する（判断ステップ）。
【０２５１】
上述したとおり、固有情報Ｘ（Ｍ，Ｗ）は、端末電子機器ＩＤＭに対する情報であることから、端末電子機器ＩＤＭは、固有情報Ｘ（Ｍ，Ｗ）を受信して情報Ｘ（例えばコマンド情報）に応じた処理を実行する。
【０２５２】
また、端末電子機器ＩＤＭ（返信情報生成部１５０）は、情報Ｘに応じた処理を実行したことを示す応答情報Ｒを生成し、上流側端子１８１ｆを介して第１通信部１８０ｆから上流側（端末電子機器ＩＤＭ−１）へ応答情報Ｒを返信する。
【０２５３】
端末電子機器ＩＤＭ−１は、上述したとおり既に透過状態とされていることから、下流側端子１８１ｓを介して第２通信部１８０ｓで受信した応答情報Ｒに対して何ら処理を施すことなく、上流側端子１８１ｆを介して第１通信部１８０ｆから上流側へそのまま応答情報Ｒを透過（通過）させて透過返信（通過返信）する。
【０２５４】
以下、上流側に接続された端末電子機器１００（端末電子機器ＩＤＭ−２（不図示）〜端末電子機器ＩＤ１）は、端末電子機器ＩＤＭ−１と同様に動作する。つまり、端末電子機器ＩＤＭ−１〜端末電子機器ＩＤ１は全て、第２通信部１８０ｓで受信した情報（応答情報Ｒ）をそのまま透過させ上流側端子１８１ｆを介して第１通信部１８０ｆから上流側の端末電子機器１００へ透過返信する。
【０２５５】
中央制御装置１は、端末電子機器ＩＤ１から透過返信された応答情報Ｒを受信して、固有情報Ｘ（Ｍ，Ｗ）に対する端末電子機器ＩＤＭでの処理がなされたことを確認することが可能となる。また併せて、端末電子機器ＩＤＭの上流側に接続された経路中の端末電子機器１００（端末電子機器ＩＤ１〜端末電子機器ＩＤＭ−１）が全て透過状態に設定されたことを確認することが可能となる。
【０２５６】
図１６は、本発明の実施の形態４に係る端末制御システムで、透過状態に設定された端末電子機器の間を透過送信し選択した端末電子機器のみに対して情報を送信するときの状況および透過状態解除の状況を説明する説明図である。
【０２５７】
図１５で示したとおり、端末電子機器ＩＤ１〜端末電子機器ＩＤＭ−１は全て透過状態に設定されている。したがって、中央制御装置１は、選択した端末電子機器ＩＤＭのみに対してデータ情報Ｄを送信（透過送信）することが可能となる。なお、情報の通信に適用される各部（第１通信部１８０ｆ、第２通信部１８０ｓ、上流側端子１８１ｆ、下流側端子１８１ｓ）の動作は図１５の場合と同様であるので適宜説明を省略する。
【０２５８】
先ず、中央制御装置１は、端末電子機器ＩＤＭに対する情報（データ）であるデータ情報Ｄをシリアル通信処理部４０から端末電子機器ＩＤ１（端末電子機器１００）へ送信する。
【０２５９】
中央制御装置１からのデータ情報Ｄを第１通信部１８０ｆで受信した端末電子機器ＩＤ１は、上述したとおり透過状態としてある。したがって、データ情報Ｄはそのまま、第２通信部１８０ｓから下流側の端末電子機器１００（（端末電子機器ＩＤ２））へ透過送信される。
【０２６０】
以下、下流側に接続された端末電子機器１００（端末電子機器ＩＤ２〜端末電子機器ＩＤＭ−１）は、端末電子機器ＩＤ１と同様に動作する。つまり、中央制御装置１から端末電子機器ＩＤＭの手前までの経路に接続された端末電子機器ＩＤ１〜端末電子機器ＩＤＭ−１は全て、受信したデータ情報Ｄをそのまま透過（通過）させる。したがって、データ情報Ｄは、高速で中央制御装置１から端末電子機器ＩＤＭへ送信（透過送信）される。
【０２６１】
端末電子機器ＩＤＭは、非透過状態であることから、第１通信部１８０ｆで端末電子機器ＩＤＭ−１（中央制御装置１）からのデータ情報Ｄを受信して対応する処理を施す。つまり、端末電子機器ＩＤＭは、データ情報Ｄに対する処理を実行することとなる。
【０２６２】
また、端末電子機器ＩＤＭ（返信情報生成部１５０）は、データ情報Ｄに応じた処理を実行したことを示す応答情報Ｒを生成し、第１通信部１８０ｆから上流側（端末電子機器ＩＤＭ−１）へ応答情報Ｒを返信する。
【０２６３】
端末電子機器ＩＤＭから応答情報Ｒの返信を受信した端末電子機器ＩＤＭ−１は、上述したとおり透過状態であることから、第２通信部１８０ｓで受信した応答情報Ｒを第１通信部１８０ｆから上流側へそのまま透過（通過）させて透過返信（通過返信）する。
【０２６４】
また、端末中央処理部１１０は、端末タイマー制御部１６０を機能させて、第１通信部１８０ｆで受信した情報（データ情報）を第２通信部１８０ｓから下流側へそのまま透過（通過）させたときにタイマーの計時を開始し、第２通信部１８０ｓで受信した情報（応答情報Ｒ）を第１通信部１８０ｆから上流側へ返信したときにタイマーの計時を停止する。タイマー（不図示）は、通常端末電子機器１００（端末タイマー制御部１６０）が備えるものを適用することができる。
【０２６５】
つまり、本実施の形態では、第１通信部１８０ｆで受信した情報を第２通信部１８０ｓから下流側へ送信したときから第２通信部１８０ｓで受信した情報（返信情報）を第１通信部１８０ｆで上流側へ返信したときまでの時間をタイマーで計時する（タイマー計時ステップ）。
【０２６６】
なお、タイマーによる計時時間が、予め設定された設定時間になったとき（タイマー設定値Ｗｓを超過したとき）、透過状態解除部１４０ｃは、透過状態を解除し、非透過状態とする（透過状態解除ステップ）。タイマーの計時については、図１９のステップＳ３３２〜ステップＳ３３６でさらに説明する。
【０２６７】
以下、上流側に接続された端末電子機器１００（端末電子機器ＩＤＭ−２（不図示）〜端末電子機器ＩＤ１）は、端末電子機器ＩＤＭ−１と同様に動作する。つまり、端末電子機器ＩＤＭ−１〜端末電子機器ＩＤ１は全て、第２通信部１８０ｓで受信した情報（応答情報Ｒ）をそのまま透過させて第１通信部１８０ｆから上流側の端末電子機器１００へ透過返信する。また、第１通信部１８０ｆで受信した情報を第２通信部１８０ｓから下流側へ透過送信したときから第２通信部１８０ｓで受信した情報（返信）を第１通信部１８０ｆで上流側へ透過返信するときまでの時間をタイマーで計時する（タイマー計時ステップ）。
【０２６８】
中央制御装置１は、端末電子機器ＩＤ１から透過返信された応答情報Ｒを受信して、データ情報Ｄに対する端末電子機器ＩＤＭでの処理がなされたことを確認することが可能となる。つまり、データ情報Ｄの正常送信を確認した中央制御装置１は、以降の処理へ移行することが可能となり、例えば、継続して存在する以降のデータ情報Ｄを端末電子機器ＩＤＭに対して継続的に送信することが可能となる。
【０２６９】
上述したとおり、データ情報Ｄには、端末電子機器ＩＤＭを特定するための付加情報を追加する必要が全く無いことから、特定の端末電子機器１００（例えば端末電子機器ＩＤＭ）に対してスループットを低下させずに高速通信を実行することが可能となる。
【０２７０】
また、中央制御装置１は、透過状態を設定する固有情報Ｘ（Ｍ，Ｗ）に予め透過状態を解除する条件を設定時間（タイマー設定値Ｗｓ）として設定し、各端末電子機器１００を透過状態に設定するときに透過状態解除条件として同時に設定することから、透過状態となった以降で透過状態を解除するための特別な情報の送信を不要とすることが可能となり、制御性良く容易に透過状態を解除することができる。
【０２７１】
図１７は、本発明の実施の形態４に係る端末制御システムでの中央制御装置の概略動作フローを示すフローチャートである。
【０２７２】
図１５、図１６で示したとおり、本実施の形態に係る端末制御システムは、中央制御装置１からの情報に対応させて端末電子機器１００を動作させる。ステップＳ３０１ないしステップＳ３１２に基づいて図１５、図１６に対応する中央制御装置１の動作フローを説明する。
【０２７３】
ステップＳ３０１：
中央記憶部２０に端末電子機器ＩＤＭへ送信する情報として識別子（ＩＤ番号Ｍ）とタイマー値Ｗ（タイマー設定値Ｗｓ）を組み込んだ固有情報Ｘ（Ｍ，Ｗ）を読み込む。
【０２７４】
ステップＳ３０２：
シリアル通信処理部４０から端末電子機器ＩＤＭに対する固有情報Ｘ（Ｍ，Ｗ）を送信する。端末電子機器ＩＤＭの上流側に接続された端末電子機器１００（端末電子機器ＩＤ１〜端末電子機器ＩＤＭ−１）は、固有情報Ｘ（Ｍ，Ｗ）によって透過状態に設定される（透過状態設定ステップ）。また、固有情報Ｘ（Ｍ，Ｗ）の送信先である端末電子機器ＩＤＭは、受信した固有情報Ｘ（Ｍ，Ｗ）を処理したことを応答情報Ｒとして上流側へ返信する。
【０２７５】
ステップＳ３０３：
端末電子機器ＩＤＭからの返信である応答情報Ｒを受信したか否かを判断する。応答情報Ｒを受信した場合（ステップＳ３０３：ＹＥＳ）は、ステップＳ３０４へ移行する。応答情報Ｒを受信していない場合（ステップＳ３０３：ＮＯ）は、ステップＳ３０５へ移行する。
【０２７６】
ステップＳ３０４：
応答情報Ｒの受信によって、端末電子機器ＩＤＭまでの上流側に接続された端末電子機器１００（端末電子機器ＩＤ１〜端末電子機器ＩＤＭ−１）は、透過状態であることを確認できる。したがって、中央制御装置１は、端末電子機器ＩＤＭのみに対する情報としてデータ情報Ｄを送信し、ステップＳ３０７へ移行する。
【０２７７】
ステップＳ３０５：
送信した固有情報Ｘ（Ｍ，Ｗ）に対する端末電子機器ＩＤＭからの応答情報Ｒを受信していないことから、受信許容時間として設定した時間になっているか否かを判断する。タイムアウト（受信許容時間を超過）の場合（ステップＳ３０５：ＹＥＳ）は、ステップＳ３０６へ移行する。タイムアウト（受信許容時間を超過）していない場合（ステップＳ３０５：ＮＯ）は、ステップＳ３０３へ戻る。なお、受信許容時間は、中央タイマー制御部３０によって予め設定され計時される。
【０２７８】
ステップＳ３０６：
受信許容時間を超過していることから、タイムアウトとしてエラー処理を施して処理を終了する。
【０２７９】
ステップＳ３０７：
データ情報Ｄの送信に対する端末電子機器ＩＤＭからの応答情報Ｒを受信したか否かを判断する。データ情報Ｄが正常に送信され対応する応答情報Ｒを受信した場合（ステップＳ３０７：ＹＥＳ）は、ステップＳ３０８へ移行する。応答情報Ｒを受信していない場合（ステップＳ３０７：ＮＯ）は、ステップＳ３０９へ移行する。
【０２８０】
ステップＳ３０８：
端末電子機器ＩＤＭに対して送信すべき全てのデータ情報Ｄを送信したか否かを判断する。全てのデータ情報Ｄを送信した場合（ステップＳ３０８：ＹＥＳ）は、ステップＳ３１１へ移行する。全てのデータ情報Ｄを送信していない場合（ステップＳ３０８：ＮＯ）は、ステップＳ３０４へ戻り、継続してデータ情報Ｄを送信する。
【０２８１】
ステップＳ３０９：
送信したデータ情報Ｄに対する端末電子機器ＩＤＭからの応答情報Ｒを受信していないことから、受信許容時間として設定した時間になっているか否かを判断する。タイムアウト（受信許容時間を超過）の場合（ステップＳ３０９：ＹＥＳ）は、ステップＳ３１０へ移行する。タイムアウト（受信許容時間を超過）していない場合（ステップＳ３０９：ＮＯ）は、ステップＳ３０７へ戻る。なお、受信許容時間は、ステップＳ３０５の場合と同様、中央タイマー制御部３０によって予め設定され計時される。
【０２８２】
ステップＳ３１０：
受信許容時間を超過していることから、タイムアウトとしてエラー処理を施して処理を終了する。
【０２８３】
ステップＳ３１１：
全てのデータ情報Ｄの送信を終了していることから、透過状態を解除する透過状態解除情報Ｑｗを生成して端末電子機器１００（端末電子機器ＩＤＭ）へ送信する。
【０２８４】
ステップＳ３１２：
透過状態解除情報Ｑｗを送信した後、タイマー設定値Ｗｓを経過したか否かを中央タイマー制御部３０で判断する。タイマー設定値Ｗｓを経過した場合（ステップＳ３１２：ＹＥＳ）は、端末電子機器１００（端末電子機器ＩＤ１〜端末電子機器ＩＤＭ−１）の透過状態はそれぞれで解除されるので、処理を終了する。つまり、端末電子機器ＩＤ１〜端末電子機器ＩＤＭ−１は、端末タイマー制御部１６０によるタイマーの計時によってタイマー設定値Ｗｓを超過することから、透過状態解除部１４０ｃが機能して透過状態を解除する（透過状態解除ステップ）。タイマー設定値Ｗｓを経過していない場合（ステップＳ３１２：ＮＯ）は、再度ステップＳ３１２へ戻る。
【０２８５】
上述したとおり、本実施の形態では、固有情報Ｘ（Ｍ）にタイマー値Ｗを組み込んだ固有情報Ｘ（Ｍ，Ｗ）を送信して端末電子機器１００（端末電子機器ＩＤ１〜端末電子機器ＩＤＭ−１）の透過状態を設定し、端末電子機器ＩＤ１〜端末電子機器ＩＤＭ−１それぞれでのタイマーの計時時間が設定された設定時間（タイマー設定値Ｗｓ）となったときに端末電子機器１００それぞれの透過状態を解除することによって、実施の形態２で適用した中央制御装置１での透過状態解除情報Ｑの生成／送信ステップ、端末電子機器ＩＤＭでの透過状態解除指示返信情報Ｅの生成／返信ステップ、中央制御装置１での透過状態解除指示返信情報Ｅの受信ステップが不要となり、情報の生成／送信ステップ、判断ステップを簡略化することが可能となり、透過状態の解除を容易かつ確実に実行することが可能となる。
【０２８６】
図１８は、本発明の実施の形態４に係る端末制御システムでの端末電子機器が非透過状態の場合の概略動作フローを示すフローチャートである。
【０２８７】
図１５、図１６で示したとおり、本実施の形態に係る端末制御システムでの端末電子機器１００は、中央制御装置１からの情報に対応して動作する。ステップＳ３２１ないしステップＳ３２８に基づいて図１５、図１６に対応する端末電子機器１００が非透過状態の場合の動作フローを説明する。
【０２８８】
ステップＳ３２１：
端末電子機器１００は、第１通信部１８０ｆで上流側からの情報である情報を受信する。
【０２８９】
ステップＳ３２２：
受信した情報が固有情報Ｘ（Ｍ，Ｗ）である場合（ステップＳ３２２：ＹＥＳ）は、ステップＳ３２３へ移行する。固有情報Ｘ（Ｍ，Ｗ）で無い場合（ステップＳ３２２：ＮＯ）は、ステップＳ３２４へ移行する。
【０２９０】
ステップＳ３２３：
固有情報Ｘ（Ｍ，Ｗ）は、自機に対する情報であるか否かを判断する（判断ステップ）。判断は、判断部１３０（識別子比較部）で情報に組み込まれた識別子（ＩＤ番号）を比較することによって実行される。固有情報Ｘ（Ｍ，Ｗ）が自機に対する情報の場合（ステップＳ３２３：ＹＥＳ）は、ステップＳ３２５へ移行する。固有情報Ｘ（Ｍ，Ｗ）が自機に対する情報でない場合（ステップＳ３２３：ＮＯ）は、ステップＳ３２６へ移行する。
【０２９１】
ステップＳ３２４：
情報が透過状態解除情報Ｑｗである場合（ステップＳ３２４：ＹＥＳ）は、ステップＳ３２８へ移行する。情報が透過状態解除情報Ｑｗでない場合（ステップＳ３２４：ＮＯ）は、ステップＳ３２５へ移行する。
【０２９２】
ステップＳ３２５：
情報に応じた処理を施す。例えば、固有情報Ｘ（Ｍ，Ｗ）が自機に関する情報である場合には、端末電子機器１００は情報に応じた処理を実行する。つまり、端末電子機器ＩＤＭとしての処理が求められた固有情報Ｘに対応する処理などを行なう。また、情報に対する処理に併せて返信情報生成部１５０で応答情報Ｒを生成して上流側へ返信し、処理を終了する（応答情報生成ステップ）。
【０２９３】
ステップＳ３２６：
固有情報Ｘ（Ｍ，Ｗ）は自機に対する情報でないことから、第２通信部１８０ｓから下流側へ固有情報Ｘ（Ｍ，Ｗ）を送信し、ステップＳ３２７へ移行する。
【０２９４】
ステップＳ３２７：
固有情報Ｘ（Ｍ，Ｗ）は、自機に対する情報でなかったことから、自機（端末電子機器１００）を透過状態に設定する（透過状態設定ステップ）。また、タイマー値Ｗをタイマー設定値Ｗｓに設定し、端末記憶部１２０で記憶しておく。
【０２９５】
併せて、端末タイマー制御部１６０への機能開始を指示する。つまり、第１通信部１８０ｆで受信した情報を第２通信部１８０ｓで下流側へ送信したときからタイマーの計時を開始する（図１９のステップＳ３３２参照）。
【０２９６】
ステップＳ３２８：
端末電子機器ＩＤＭは、透過状態解除情報Ｑｗを受信した状態となっているが、応答情報Ｒを生成する必要はない。つまり、受信するだけでその他の処理は不要である。
【０２９７】
したがって、上流側に接続された端末電子機器１００（端末電子機器ＩＤ１〜端末電子機器ＩＤＭ−１）は、透過状態解除情報Ｑｗを下流側へ透過送信することとなるが、それぞれが有するタイマーによって計時を開始しており下流側からの応答情報Ｒの返信が無い場合は、タイマー設定値Ｗｓになるまでタイマーの計時は停止されない。また、タイマーの計時時間が設定時間（タイマー設定値Ｗｓ）になった時点で端末電子機器１００それぞれのタイマー設定値Ｗｓはリセットされ透過状態を解除される（透過状態解除ステップ。図１９のステップＳ３３４〜ステップＳ３３６参照）。
【０２９８】
図１９は、本発明の実施の形態４に係る端末制御システムでの端末電子機器が透過状態の場合の概略動作フローを示すフローチャートである。
【０２９９】
ステップＳ３３１ないしステップＳ３３６に基づいて図１５、図１６に対応する端末電子機器１００が透過状態の場合の動作フローを説明する。
【０３００】
ステップＳ３３１：
端末電子機器１００は、第１通信部１８０ｆで上流側からの情報であるデータ情報Ｄを受信したか否かを判断する。データ情報Ｄを受信した場合（ステップＳ３３１：ＹＥＳ）は、ステップＳ３３２へ移行する。データ情報Ｄを受信していない場合（ステップＳ３３１：ＮＯ）は、ステップＳ３３３へ移行する。判断は、判断部１３０で情報を分析することによって適宜実行される。
【０３０１】
ステップＳ３３２：
端末電子機器１００は、透過状態であり受信した情報がデータ情報Ｄであることから、第２通信部１８０ｓから下流側へデータ情報Ｄを透過送信し、ステップＳ３３３へ移行する。
【０３０２】
また、端末タイマー制御部１６０を機能させて、タイマーでの計時を開始する。つまり、第１通信部１８０ｆで受信した情報を第２通信部１８０ｓで下流側へ送信したときから、タイマーでの計時を開始する（タイマー計時ステップの開始）。
【０３０３】
ステップＳ３３３：
端末電子機器１００は、第２通信部１８０ｓで下流側から応答情報Ｒを受信したか否かを判断する。第２通信部１８０ｓで下流側からの応答情報Ｒを受信した場合（ステップＳ３３３：ＹＥＳ）は、ステップＳ３３４へ移行する。下流側からの応答情報Ｒを受信していない場合（ステップＳ３３３：ＮＯ）は、ステップＳ３３５へ移行する。判断は、判断部１３０で情報を分析することによって適宜実行される。
【０３０４】
ステップＳ３３４：
端末電子機器１００は透過状態であるので、受信した応答情報Ｒを第１通信部１８０ｆから上流側へ透過返信し、ステップＳ３３５へ移行する。
【０３０５】
また、端末タイマー制御部１６０を機能させて、タイマーでの計時を停止する（タイマー計時ステップの停止）。つまり、第２通信部１８０ｓで受信した情報を第１通信部１８０ｆで上流側へ透過返信したときまで、タイマーでの計時を実行する（タイマー計時ステップ）。
【０３０６】
さらに、タイマー計時の停止に合わせてタイマー計時内容をリセットし、次のタイマー計時に備え、処理を終了する。
【０３０７】
ステップＳ３３５：
ステップＳ３３２でのタイマー計時の開始からタイマーによる計時が継続しているので、タイマー計時時間が設定された設定時間（タイマー設定値Ｗｓ）を超えているか否かを判断する（設定時間超過判断ステップ）。判断は、端末タイマー制御部１６０が有する計時時間の超過検出機能をタイマー設定値Ｗｓに適用して実行することが可能である。
【０３０８】
計時時間がタイマー設定値Ｗｓを超えている場合（ステップＳ３３５：ＹＥＳ）は、ステップＳ３３６へ移行する。計時時間がタイマー設定値Ｗｓに満たない場合（ステップＳ３３５：ＮＯ）は、ステップＳ３３３へ戻る。
【０３０９】
ステップＳ３３６：
透過状態において第１通信部１８０ｆで受信した情報を第２通信部１８０ｓから下流側へ透過送信したときからの計時時間が予め設定された設定時間（タイマー設定値Ｗｓ）になった状態であることから、透過状態解除部１４０ｃを機能させて透過状態を解除する（透過状態解除ステップ）。
【０３１０】
また、合わせてタイマー設定値Ｗｓをリセットし、次のタイマー設定値Ｗｓの設定に備える。なお、次のタイマー設定値Ｗｓは、同一の設定値、異なる設定値のいずれでも良い。
【０３１１】
上述したとおり、本実施の形態に係る端末電子機器１００は、中央制御装置１に対して他の端末電子機器１００と共にデイジーチェーン接続され中央制御装置１からの情報を処理する端末電子機器１００であって、他の端末電子機器１００に対して自機を識別する識別子（例えばＩＤ番号）を記憶する識別子記憶部１２０ｉｄと、デイジーチェーン接続の上流側との通信を行なう第１通信部１８０ｆと、デイジーチェーン接続の下流側との通信を行なう第２通信部１８０ｓと、第１通信部１８０ｆで受信した情報が自機に対する情報であるか否かを識別子に基づいて判断する判断部１３０と、第１通信部１８０ｆで受信した情報が自機に対する情報で無いと判断部１３０で判断したときは第１通信部１８０ｆで受信した情報を第２通信部１８０ｓから下流側へ透過送信する透過状態に設定する透過状態設定部１４０ｓと、透過状態において第１通信部１８０ｆで受信した情報を第２通信部１８０ｓで下流側へ透過送信したときからの計時時間が予め設定された設定時間（タイマー設定値Ｗｓ）になったときに透過状態を解除する透過状態解除部１４０ｃとを備える。
【０３１２】
したがって、自機に関係の無い情報を受信した場合は下流側への透過送信を行なう透過状態を設定することによって高速通信を実現すると共に、設定された設定時間を超過した場合は透過状態を解除することが可能となることから、透過状態の設定と解除を容易かつ確実に実行することができ、スループットの低下が無く、高速通信が可能な端末電子機器１００とすることができる。
【０３１３】
また、本実施の形態に係る端末電子機器１００の透過状態制御方法は、中央制御装置１に対して他の端末電子機器１００と共にデイジーチェーン接続され中央制御装置１からの情報を処理する端末電子機器１００の透過状態制御方法であって、他の端末電子機器１００に対して自機を識別する識別子（例えばＩＤ番号）を記憶する識別子記憶ステップと、デイジーチェーン接続の上流側との通信を行なう第１通信ステップと、デイジーチェーン接続の下流側との通信を行なう第２通信ステップと、第１通信ステップで受信した情報が自機に対する情報であるか否かを識別子に基づいて判断する判断ステップと、第１通信ステップで受信した情報が自機に対する情報で無いと判断ステップで判断したときは第１通信ステップで受信した情報を第２通信ステップで下流側へ透過送信する透過状態に設定する透過状態設定ステップと、透過状態において第１通信ステップで受信した情報を第２通信ステップで下流側へ透過送信したときからの計時時間が予め設定された計時時間（タイマー設定値Ｗｓ）になったときに透過状態を解除する透過状態解除ステップとを備える。
【０３１４】
したがって、自機に関係の無い情報を受信した場合は下流側への透過送信を行なう透過状態を設定することによって高速通信を実現すると共に、設定された設定時間を超過した場合は透過状態を解除することが可能となることから、透過状態の設定と解除を容易かつ確実に実行することができ、スループットの低下が無く、高速通信が可能な端末電子機器１００の透過状態制御方法とすることができる。
【０３１５】
また、本実施の形態に係る端末制御システムは、情報（固有情報Ｘ（Ｍ，Ｗ）、データ情報Ｄなど）を送信する中央制御装置１と、中央制御装置１に対してデイジーチェーン接続され中央制御装置１からの情報を受信して情報に応じた処理（透過状態の設定、データ情報Ｄの処理、応答情報Ｒの返信、タイマーの計時時間が設定された設定時間となったときの透過状態の解除など）を実行する複数の端末電子機器１００とを備える。
【０３１６】
したがって、端末電子機器１００の透過状態の設定と解除を容易かつ確実に実行することができ、スループットの低下が無く、高速通信が可能な端末制御システムとすることができる。
【図面の簡単な説明】
【０３１７】
【図１】本発明の実施の形態１に係る端末制御システムの概略構成ブロックを示すブロック図である。
【図２】本発明の実施の形態１に係る端末制御システムを構成する中央制御装置の概略構成ブロックを示すブロック図である。
【図３】本発明の実施の形態１に係る端末制御システムを構成する端末電子機器の概略構成ブロックを示すブロック図である。
【図４】本発明の実施の形態２に係る端末制御システムで、端末電子機器を透過状態に設定するときの状況を説明する説明図である。
【図５】本発明の実施の形態２に係る端末制御システムで、透過状態に設定された端末電子機器の間を透過送信し選択した端末電子機器のみに対して情報を送信するときの状況を説明する説明図である。
【図６】本発明の実施の形態２に係る端末制御システムで、透過状態に設定された端末電子機器の透過状態を解除して非透過状態へ戻すときの状況を説明する説明図である。
【図７】本発明の実施の形態２に係る端末制御システムでの中央制御装置の概略動作フローを示すフローチャートである。
【図８】本発明の実施の形態２に係る端末制御システムでの端末電子機器が非透過状態の場合の概略動作フローを示すフローチャートである。
【図９】本発明の実施の形態２に係る端末制御システムでの端末電子機器が透過状態の場合の概略動作フローを示すフローチャートである。
【図１０】本発明の実施の形態３に係る端末制御システムで、端末電子機器を透過状態に設定するときの状況を説明する説明図である。
【図１１】本発明の実施の形態３に係る端末制御システムで、透過状態に設定された端末電子機器の間を透過送信し選択した端末電子機器のみに対して情報を送信するときの状況および透過状態解除の状況を説明する説明図である。
【図１２】本発明の実施の形態３に係る端末制御システムでの中央制御装置の概略動作フローを示すフローチャートである。
【図１３】本発明の実施の形態３に係る端末制御システムでの端末電子機器が非透過状態の場合の概略動作フローを示すフローチャートである。
【図１４】本発明の実施の形態３に係る端末制御システムでの端末電子機器が透過状態の場合の概略動作フローを示すフローチャートである。
【図１５】本発明の実施の形態４に係る端末制御システムで、端末電子機器を透過状態に設定するときの状況を説明する説明図である。
【図１６】本発明の実施の形態４に係る端末制御システムで、透過状態に設定された端末電子機器の間を透過送信し選択した端末電子機器のみに対して情報を送信するときの状況および透過状態解除の状況を説明する説明図である。
【図１７】本発明の実施の形態４に係る端末制御システムでの中央制御装置の概略動作フローを示すフローチャートである。
【図１８】本発明の実施の形態４に係る端末制御システムでの端末電子機器が非透過状態の場合の概略動作フローを示すフローチャートである。
【図１９】本発明の実施の形態４に係る端末制御システムでの端末電子機器が透過状態の場合の概略動作フローを示すフローチャートである。
【符号の説明】
【０３１８】
１  中央制御装置
１０  中央処理部
２０  中央記憶部
３０  中央タイマー制御部
４０  シリアル通信処理部
１００  端末電子機器
１１０  端末中央処理部
１２０  端末記憶部
１２０ｉｄ  識別子記憶部
１３０  判断部
１４０ｓ  透過状態設定部
１４０ｃ  透過状態解除部
１５０  返信情報生成部
１６０  端末タイマー制御部
１７０  カウンタ減算部
１８０  シリアル通信処理部
１８０ｆ  第１通信部
１８０ｓ  第２通信部
１８１ｆ  上流側端子
１８１ｓ  下流側端子
１９０  映像処理部
１９１  表示部
Ｃ  カウンタ値
Ｃｓ  カウンタ設定値
Ｄ  データ情報（情報）
Ｅ  透過状態解除指示返信情報（情報）
Ｑ、Ｑｗ  透過状態解除情報（情報）
Ｒ  応答情報（情報）
Ｗ  タイマー値
Ｗｓ  タイマー設定値
Ｘ  情報
Ｘ（Ｍ）  固有情報（情報）
Ｘ（Ｍ，Ｃ）  固有情報（情報）
Ｘ（Ｍ，Ｗ）  固有情報（情報）
【図１】
0004836925.tif 000002
【図２】
0004836925.tif 000003
【図３】
0004836925.tif 000004
【図４】
0004836925.tif 000005
【図５】
0004836925.tif 000006
【図６】
0004836925.tif 000007
【図７】
0004836925.tif 000008
【図８】
0004836925.tif 000009
【図９】
0004836925.tif 000010
【図１０】
0004836925.tif 000011
【図１１】
0004836925.tif 000012
【図１２】
0004836925.tif 000013
【図１３】
0004836925.tif 000014
【図１４】
0004836925.tif 000015
【図１５】
0004836925.tif 000016
【図１６】
0004836925.tif 000017
【図１７】
0004836925.tif 000018
【図１８】
0004836925.tif 000019
【図１９】
0004836925.tif 000020